(57)【要約】【課題】  遊技者が所持する遊技媒体を好適に管理することが可能な遊技機を提供する。【解決手段】  パチンコ機１００は、払出装置５４０から払い出された遊技球をパチンコ機１００の前側に貯留する補助貯留部２４１と、補助貯留部２４１に貯留された遊技球を遊技機外に出す補助貯留部２４１の放出口と、払出装置５４０と貯留部２４１との間に位置する補助側誘導通路５５３と、補助側誘導通路５５３とは別に設けられて払出装置５４０から払い出された遊技球を、補助貯留部２４１の放出口とは異なるパチンコ機１００の背面側にて遊技機外に出す後側通路５８０と、払出装置５４０から払い出された遊技球が後側通路５８０に進入するか否かを切り替えることが可能な進入切替部材５８１とを備えている。【選択図】  図１４
2018171332.tif 000002
【特許請求の範囲】
【請求項１】
遊技媒体を用いて遊技を行う遊技機であって、
遊技媒体を払い出す払出装置と、
前記払出装置から払い出された遊技媒体を遊技者が取り出し操作可能に、遊技機前側に貯留する貯留部と、
該貯留部に貯留された遊技媒体を遊技機外に出す第１出口部と、
前記払出装置と前記貯留部との間に設けられて、該払出装置から前記貯留部へと遊技媒体を払い出すための第１払出通路と、
前記第１払出通路とは別に設けられて、前記払出装置から払い出された遊技媒体を前記前記第１出口部とは異なる位置にて遊技機外に出す第２出口部と、
前記払出装置から払い出された遊技媒体が前記第２出口部に進入するか否かを切り替えることが可能な進入切替手段とを備えていることを特徴とする遊技機。
【請求項２】
前記遊技機は、パチンコ遊技機又は回胴式遊技機であることを特徴とする請求項１に記載の遊技機。
【発明の詳細な説明】
【技術分野】
【０００１】
本発明は、弾球遊技機に代表される遊技機に関する。
【背景技術】
【０００２】
従来の遊技機において、入賞に応じた特典として払い出された遊技球あるいは入金額に応じて貸し出された遊技球は、遊技機に設けられる球皿の他に、遊技者の近傍に設置された球箱等へ球皿の球出口を通過させて貯留するのが一般的であった。また、遊技者が所持する所持金や遊技球数に対応した情報をＩＣカードなどの価値記憶媒体に記憶するように構成された遊技用装置も知られている（例えば、特許文献１参照）。
【先行技術文献】
【特許文献】
【０００３】
【特許文献１】特開２００２−２２４３６２号公報
【発明の概要】
【発明が解決しようとする課題】
【０００４】
従来の遊技機において、遊技者が所持する遊技媒体を管理する構成について、未だ改良の余地がある可能性がある。
【０００５】
そこで、本発明に係る遊技機では、例えば、遊技者が所持する遊技媒体を好適に管理することが可能な遊技機を提供することを目的としている。
【課題を解決するための手段】
【０００６】
本発明に係る遊技機は、上記の課題を解決するために、
遊技媒体を用いて遊技を行う遊技機であって、
遊技媒体を払い出す払出装置と、
前記払出装置から払い出された遊技媒体を遊技者が取り出し操作可能に、遊技機前側に貯留する貯留部と、
該貯留部に貯留された遊技媒体を遊技機外に出す第１出口部と、
前記払出装置と前記貯留部との間に設けられて、該払出装置から前記貯留部へと遊技媒体を払い出すための第１払出通路と、
前記第１払出通路とは別に設けられて、前記払出装置から払い出された遊技媒体を前記第１出口部とは異なる位置にて遊技機外に出す第２出口部と、
前記払出装置から払い出された遊技媒体が前記第２出口部に進入するか否かを切り替えることが可能な進入切替手段とを備えていることを特徴としている。
【発明の効果】
【０００７】
本発明に係る遊技機であれば、遊技者が所持する遊技媒体を好適に管理することが可能遊技機を提供することができる。
【図面の簡単な説明】
【０００８】
【図１】遊技機の一例としてのパチンコ機の正面側斜視図
【図２】パチンコ機を開放状態で示す斜視図
【図３】パチンコ機を他の開放状態で示す斜視図
【図４】パチンコ機を更に他の開放状態で示す斜視図
【図５】パチンコ機の正面図
【図６】パチンコ機の前ブロックを取り外した状態を示す正面図
【図７】遊技盤の正面図
【図８】パチンコ機の背面側斜視図
【図９】パチンコ機の背面図
【図１０】パチンコ機の電気的な構成を示すブロック図
【図１１】主制御メイン処理の一例を示すフローチャート
【図１２】主制御割込み処理の一例を示すフローチャート
【図１３】パチンコ機及び遊技球管理装置の配置を示す正面図（１）
【図１４】パチンコ機及び遊技球管理装置の背面図
【図１５】進入阻止姿勢における後側通路の周辺を示す略線図
【図１６】進入阻止姿勢における後側通路の周辺を示す略線図（１）
【図１７】進入阻止姿勢における後側通路の周辺を示す略線図
【図１８】進入許容姿勢における後側通路の周辺を示す略線図
【図１９】進入許容姿勢における後側通路の周辺を示す略線図（１）
【図２０】進入許容姿勢における後側通路の周辺を示す略線図
【図２１】パチンコ機及び遊技球管理装置の配置を示す正面図（２）
【図２２】パチンコ機及び遊技球管理装置の配置を示す背面図（１）
【図２３】進入阻止姿勢における後側通路の周辺を示す略線図（２）
【図２４】進入許容姿勢における後側通路の周辺を示す略線図（２）
【図２５】貯留部の構成を示す略線図（１）
【図２６】貯留部の構成を示す断面図
【図２７】貯留部の構成を示す略線図（２）
【図２８】貯留部の構成を示す略線図（３）
【図２９】パチンコ機及び遊技球管理装置の配置を示す背面図（２）
【図３０】移送通路の構成を示す略線図
【図３１】貯留部及び移送通路の構成を示す略線図
【発明を実施するための形態】
【０００９】
本発明に係る遊技機の実施形態について、遊技機の一種である弾球遊技機の一例としてのパチンコ機１００を説明し、その後に変形例や他の種類の遊技機を説明する。まず、パチンコ機１００の実施形態について、構造的な構成、電気的な構成、各種の制御処理を順に説明する。
【００１０】
＜構造的な構成＞
まず、図１から図９を主に参照して、パチンコ機１００の構造部分の構成について説明する。図１〜図４は、パチンコ機１００の各種状態を示す斜視図であり、図１はパチンコ機１００の閉鎖状態を示し、図２は外枠１０１に対して前ブロック１０２及び中間ブロック１０３が一体的に開放されている状態を示し、図３は中間ブロック１０３に対して前ブロック１０２が開放されている状態を示し、図４は中間ブロック１０３に対して後ブロック１０４が開放されている状態を示している。また、図５は、パチンコ機１００の正面図であり、図６は、図５の状態からパチンコ機１００の前ブロック１０２を取り外した状態を示している。なお、各図において各種の配線は省略されており、また、図３及び図６において遊技盤４００の構成の一部は省略されている。
【００１１】
パチンコ機１００は、例えば、図１〜図４に示すように、外枠１０１と、前ブロック１０２と、中間ブロック１０３と、後ブロック１０４とを備え、これら各部位を所定の操作により相対的に変位可能に構成されている。
【００１２】
外枠１０１は、パチンコ機１００の本体部分を支持する本体支持手段としての機能を有している。外枠１０１は、例えば、図２に示すように、天板部１１１、底板部１１２、左側板部１１３及び右側板部１１４が組み付けられた略四辺形状の枠体であり、パチンコ機１００を設置する遊技場に設けられた遊技機設置設備（島設備）に嵌め込まれると共に固定具（図示せず）によって強固に固定される。なお、パチンコ機１００において外枠１０１は必須の構成ではなく、外枠１０１又は外枠１０１と同一の内形形状を有し、外枠１０１を除いたパチンコ機１００の構成に相当する本体部分を支持する支持機構や、その本体部分を施錠する施錠機構の一部が島設備に備え付けられた構成としても良い。
【００１３】
外枠１０１における左右方向の一方側（左側板部１１３側）には、中間ブロック支持機構１２１，１２２が設けられている。この中間ブロック支持機構１２１，１２２によって外枠１０１と中間ブロック１０３とが接続（連結）され、パチンコ機１００の本体部分が、パチンコ機１００の正面視における左右方向の一端側（左側）を回動基端側とし、他端側（右側）を回動先端側として前方へ回動可能に構成されている。
【００１４】
中間ブロック支持機構１２１，１２２は、例えば、図１に示すように、外枠１０１の上端部と下端部とに離間して設けられている。中間ブロック支持機構１２１，１２２の各々は、例えば、外枠１０１に設けられる軸支持部によって、中間ブロック１０３に設けられる軸部が下側より支持され、軸支持部に設けられる軸孔に軸部が差し込まれた状態とされることにより、回動可能に構成されている。なお、中間ブロック１０３を含むパチンコ機１００の本体部分を回動可能とする構成は、上記構成に限らず、中間ブロック１０３側に軸孔を設け、外枠１０１側に軸部を形成するなど、他の構成としても良い。
【００１５】
中間ブロック支持機構１２１，１２２には、所定の取り外し操作によって外枠１０１と中間ブロック１０３との接続状態を解除する機能が設けられ、中間ブロック１０３を含むパチンコ機１００の本体部分が外枠１０１に対して取り外し可能に取り付けられている。例えば、外枠１０１に対して中間ブロック１０３を一定量以上開放し、且つ、上方側へ一定量移動させるという所定の取り外し操作をすることにより、外枠１０１に対する中間ブロック１０３の接続状態が解除される。これにより、外枠１０１に対してパチンコ機１００の本体部分が取り外し可能とされている。
【００１６】
中間ブロック１０３に対して前側には、前ブロック１０２が重なるようにして配置され、正面視左側に設けられる前ブロック支持機構１３１，１３２によって中間ブロック１０３と前ブロック１０２とが接続されている。前ブロック支持機構１３１，１３２は、中間ブロック支持機構１２１，１２２と同様の構成とされ、中間ブロック１０３に対して前ブロック１０２を前方へ回動可能に支持し、且つ、所定の取り外し操作により取り外し可能に構成されている。
【００１７】
中間ブロック１０３に対して後側には、後ブロック１０４が重なるようにして配置され、正面視左側に設けられる後ブロック支持機構１３６，１３７（図８参照）によって中間ブロック１０３と後ブロック１０４とが接続されている。後ブロック支持機構１３６，１３７には、中間ブロック支持機構１２１，１２２及び前ブロック支持機構１３１，１３２と同様の構成とされ、中間ブロック１０３に対して後ブロック１０４を後方へ回動可能に支持し、且つ、所定の取り外し操作により取り外し可能に支持する構成とされている。
【００１８】
また、パチンコ機１００には、外枠１０１に対する中間ブロック１０３の開閉を規制する中間ブロック施錠機構と、中間ブロック１０３に対する前ブロック１０２の開閉を規制する前ブロック施錠機構と、中間ブロック施錠機構及び前ブロック施錠機構の解錠や施錠を行うために操作される錠操作機構とが設けられている。また、図３に示すように、中間ブロック１０３には、前ブロック１０２の開口を通してパチンコ機１００の前面側に露出する錠操作機構としてのキーシリンダ１４１が設けられている。
【００１９】
キーシリンダ１４１に対する所定の操作として、操作キー（図示せず）による右回転操作をした場合には、中間ブロック１０３に設けられた中間ブロック施錠機構の可動部１４３が作動する。これにより、中間ブロック施錠機構の一部として外枠１０１に設けられた被係合部１４２と可動部１４３との係合が解除されて、中間ブロック１０３は外枠１０１に対して開閉許容状態となる。
【００２０】
一方、キーシリンダ１４１に対する所定の操作キーによる左回転操作に応じて、中間ブロック１０３に設けられた前ブロック施錠機構の可動部１４４が作動する。これにより、前ブロック施錠機構の一部として前ブロック１０２に設けられた被係合部１４５と可動部１４４との係合が解除されて、前ブロック１０２は中間ブロック１０３に対して開閉許容状態となる。
【００２１】
また、パチンコ機１００には、中間ブロック１０３に対する後ブロック１０４の開閉を規制する後ブロック開閉規制機構が設けられている。この後ブロック開閉規制機構により、中間ブロック１０３に対して後ブロック１０４は、開閉が禁止された状態（開閉禁止状態）と開閉が許容された状態（開閉許容状態）とを所定の操作によって切り替え可能とされている。
【００２２】
後ブロック開閉規制機構は、例えば、図４に示すように、中間ブロック１０３に設けられる２つの開閉規制部１５０Ａ，１５０Ｂと、後ブロック１０４に設けられる１つの開閉規制部１５０Ｃとによって構成されている。これら３つの開閉規制部１５０Ａ〜１５０Ｃには、回転操作が可能な回動片１５１Ａ〜１５１Ｃが設けられている。回動片１５１Ａ〜１５１Ｃは、回転操作により、後ブロック１０４の閉鎖状態において前後に重なるように配置される開口部分との係合状態が変化し、これにより、開閉禁止状態に対応した開閉禁止姿勢と、開閉許容状態に対応した開閉許容姿勢とを切り替え操作可能とされている。全ての回動片１５１Ａ〜１５１Ｃを開閉許容姿勢にすると各回動片１５１Ａ〜１５１Ｃが開口を通過可能となって、後ブロック１０４が中間ブロック１０３に対して開閉許容状態となる。なお、開閉禁止姿勢及び開閉許容姿勢としては、開閉禁止状態と開閉許容状態が回動片１５１Ａ〜１５１Ｃの位置及び向きの少なくともいずれかの変化により切り替えられれば良く、一定位置で回転のみする構成としても良いし、一定方向に移動する構成としても良いし、移動と回転との組合せにより動作する構成としても良い。以下、各装置における構成部材が複数の姿勢の間を移行する場合における姿勢の変化についても同様とする。
【００２３】
３つの回動片１５１Ａ〜１５１Ｃのうち、それらの一部に相当する２つの回動片１５１Ａ，１５１Ｂは、図２に示すように、後ブロック１０４の開閉禁止状態において後ブロック１０４に形成された開口を通してパチンコ機１００の背面側に露出し、残り部分に相当する１つの回動片１５１Ｃは、図６に示すように、中間ブロック１０３の前側に露出している。このため、パチンコ機１００の背面側、又は中間ブロック１０３の前面側といった一方側からの操作だけでは、全ての回動片１５１Ａ〜１５１Ｃを開閉許容姿勢に切り替えることはできず、これにより、防犯性が高められている。
【００２４】
また、パチンコ機１００には、中間ブロック１０３から前ブロック１０２への遊技球の移動を規制する遊技球移動規制機構が設けられている。遊技球移動規制機構は、例えば、図３及び図６に示すように、中間ブロック１０３に設けられた流下規制片１６１と、前ブロック１０２に設けられた規制変更部１６２との組合せにより構成され、前ブロック１０２が位置する前方側へ流下規制片１６１がコイルバネ（図示せず）により付勢される構成とされている。
【００２５】
中間ブロック１０３に対して前ブロック１０２が閉鎖された状態（前ブロック１０２の閉鎖状態）においては、流下規制片１６１は、遊技球の流下を許容する移動許容状態とされ、具体的には、規制変更部１６２により中間ブロック１０３の後方側へ押圧されて押し込まれる。流下規制片１６１は、移動許容状態において中間ブロック１０３から前ブロック１０２に遊技球を誘導するための誘導通路（図示せず）に対して後側にずれて配置される。これにより、前ブロック１０２の閉鎖状態においては、中間ブロック１０３から前ブロック１０２への遊技球の移動が許容される。
【００２６】
一方、中間ブロック１０３に対して前ブロック１０２が開放された状態（前ブロック１０２の開放状態）においては、規制変更部１６２による流下規制片１６１の押圧が解除され、前ブロック１０２の閉鎖状態に比べて流下規制片１６１が前ブロック１０２側へ突出する移動禁止状態とされる。流下規制片１６１は、移動禁止状態において誘導通路内に突出し、下流側への遊技球の流下を阻止する。これにより、中間ブロック１０３から前ブロック１０２への遊技球の移動が禁止される。
【００２７】
また、パチンコ機１００には、図２に示すように、例えば中間ブロック１０３の後側であって回動先端側（背面視左側）における下端部に、外枠１０１に対して中間ブロック１０３が閉鎖されているか否かを検出する開閉検出スイッチ１０８が設けられ、また、図３に示すように、例えば中間ブロック１０３の前側であって回動先端側（正面視右側）における下端部に、中間ブロック１０３に対して前ブロック１０２が閉鎖されているか否かを検出する開閉検出スイッチ１０９が設けられている。
【００２８】
次に、前ブロック１０２、中間ブロック１０３及び後ブロック１０４の各構成について順に説明する。
【００２９】
前ブロック１０２は、図１及び図３に示すように、パチンコ機１００の前面の略全体を形成し、前後方向に厚みを有する略長方形状の部材であり、パチンコ機１００の前側表面部分を装飾する前面装飾手段としての機能を有している。前ブロック１０２は、合成樹脂製の基枠２０１を主体に構成され、基枠２０１の前後に複数の機能部品を取り付けて構成されている。基枠２０１の前面側には、パチンコ機１００の前面を形成する前面装飾体２１０が、前ブロック１０２の正面視中央部分を含んで形成される開口２１０Ａの外縁に沿って開口２１０Ａを囲った状態にして取り付けられている。前ブロック１０２を構成する基枠２０１と前面装飾体２１０とを組み合わせた状態においては、前面装飾体２１０が取り付けられた外周部を除いた広範囲にわたって開口２１０Ａが前後方向に貫通形成される。この開口２１０Ａを通じて、前ブロック１０２の後側に位置する遊技盤４００を含む中間ブロック１０３が遊技者から視認可能に構成されている。
【００３０】
また、前ブロック１０２には、図１及び図３に示すように、開口２１０Ａを塞ぐように基枠２０１の背面側に設けられた中央パネル２２０と、遊技球を貯留する主貯留機構２３０と、遊技球を貯留する補助貯留機構２４０と、主貯留機構２３０に貯留されている遊技球を発射するために遊技者によって操作される発射操作装置２５０とを備えている。
【００３１】
また、前ブロック１０２には、図１及び図５に示すように、前面装飾体２１０の一部として、開口２１０Ａの周縁を囲う開口周縁部２１１と、開口２１０Ａに対して下側において前方に突出する上側突出部２１７と、上側突出部２１７に対して下側に位置して前方に突出する下側突出部２１８と、下側突出部２１８の右側であって上側突出部２１７及び下側突出部２１８より奥側に位置する概ね平坦な領域で構成されて発射操作装置２５０が配置される平坦部２１９とが形成されている。上側突出部２１７には、主貯留機構２３０が配置され、下側突出部２１８には、補助貯留機構２４０が配置される。
【００３２】
中央パネル２２０は、基枠２０１と前面装飾体２１０とを組み合わせた状態において前後方向に貫通形成される開口２１０Ａを塞ぎつつ後方側を視認可能とするカバー体としての機能を有している。中央パネル２２０は、例えば、図１及び図３に示すように、基枠２０１の後方側から取着されるパネル枠２２１（図３参照）と、パネル枠２２１の前側に嵌め込まれた光透過性の前方板２２２（図１参照）と、パネル枠２２１の後側に前方板２２２と所定の間隙を隔てて略平行に嵌め込まれた光透過性の後方板２２３（図３参照）とを備えている。
【００３３】
主貯留機構２３０は、遊技進行に応じて獲得した遊技球や、遊技場から貸し出された遊技球を貯留する機能を有している。主貯留機構２３０は、例えば、図１に示すように、貯留部２３１と、球抜き機構（図示せず）と、その球抜き機構を作動させる球抜き操作部材２３２とを備えている。貯留部２３１には、パチンコ機１００の内部から貯留部２３１へ遊技球を流入させる流入口２３１Ａと、貯留部２３１からパチンコ機１００の内部へ遊技球を流出させる流出口（図示せず）と、流出口より上流側に形成される放出口（図示せず）とが設けられている。この放出口の開放により貯留部２３１から遊技球がパチンコ機１００の内部に取り込まれることなく遊技者側に放出される。球抜き機構は、遊技球の放出先を、流出口と放出口との間で切り換える機能を有している。
【００３４】
遊技進行に応じて獲得した遊技球や、後述する貸出操作装置２９２に対する貸出操作に応じて貸し出された遊技球は、主に流入口２３１Ａを通して貯留部２３１に流入する。また、貯留部２３１は、上方側に開口形成されており、この開口部分を通じて、遊技者が所有する遊技球が手操作により投入されたり、遊技場において貸し出される遊技球が供給されたりする。
【００３５】
貯留部２３１に流入した遊技球は一列に整列させられながら流出口及び放出口の形成されている側（図１の右上側）へ順次に案内される。球抜き操作部材２３２に対する球抜き操作（例えば、押下操作）が行われていない場合には遊技球は流出口を通して後述する発射装置３３０（図３参照）に誘導される。一方、球抜き操作部材２３２に対する球抜き操作が行われている場合には、遊技球は放出口を通して補助貯留機構２４０（図１参照）に誘導される。
【００３６】
補助貯留機構２４０は、図１及び図５に示すように、遊技球の流入口２４１Ａ，２４１Ｃ（図５参照）及び放出口２４１Ｂ（図１参照）を有する補助貯留部２４１と、放出口２４１Ｂを開閉させる球抜き機構２４３と、その球抜き機構２４３を作動させる球抜き操作部材２４２とを備えている。遊技進行に応じて獲得した遊技球等は主に主貯留機構２３０に流入するが貯留部２３１が満杯であれば流入口２４１Ａを通して補助貯留部２４１に流入する。また、球抜き操作部材２３２に対する球抜き操作に応じても、遊技球は流入口２４１Ｃを通して貯留部２３１から補助貯留部２４１に流入する。
【００３７】
補助貯留部２４１の底面は放出口２４１Ｂに向けて下降傾斜している。球抜き操作部材２４２に対する球抜き操作（例えば、押圧操作）によって放出口２４１Ｂを開放すると、補助貯留部２４１に貯留されている全ての遊技球を順次にパチンコ機１００の外部に放出できる。なお、球抜き操作部材２４２に対する球抜き操作によって放出口２４１Ｂが完全に開放された場合には、球抜き操作部材２４２に対する復帰操作（例えば、再度の押圧操作）がなされるまで、その開放状態に維持される。流入口２４１Ａの奥方には補助貯留部２４１に予め定めた上限まで遊技球が貯留されているか否かを検出する球溢れスイッチ２４９（図１０参照）が設けられている。
【００３８】
発射操作装置２５０は、図１及び図５に示すように、前面装飾体２１０の平坦部２１９から前方に突出する台座２５１と、台座２５１の周囲に設けられた回動自在な発射ハンドル２５２と、発射ハンドル２５２の回転操作量を検出する可変抵抗器２５３（図１０参照）と、発射ハンドル２５２に遊技者が接触していることを検出する接触センサ２５４（図１０参照）と、発射ハンドル２５２の回転操作に伴う遊技球の射出を遊技者の操作によって無効化する発射停止スイッチ２５５（図５参照）とを含んでいる。遊技者によって発射ハンドル２５２が回転操作されると、その回転操作量に対応する強度で発射装置３３０（図３参照）から遊技球が遊技盤４００（図３参照）に向けて射出される。なお、接触センサ２５４によって発射ハンドル２５２と遊技者との接触が検出されていない場合や、発射停止スイッチ２５５の操作によって発射操作が無効化されている場合には、発射ハンドル２５２が回転操作されていても発射装置３３０から遊技球は射出されない。
【００３９】
また、前ブロック１０２における前面装飾体２１０の奥方には、枠発光装置２７１〜２７５（図１０参照）が設けられている。枠発光装置２７１〜２７５は、前面装飾体２１０の開口周縁部２１１に対して奥側に重なるようにして配置され、基枠２０１に取り付けられている。開口周縁部２１１は、図５に示すように、上側中央縁部２１１Ａと、上側中央縁部２１１Ａに対して左右両側に位置する左上側縁部２１１Ｂ及び右上側縁部２１１Ｃと、左上側縁部２１１Ｂに対して下側に位置する左側縁部２１１Ｄと、右上側縁部２１１Ｃに対して下側に位置する右側縁部２１１Ｅとを発光部として有し、それぞれの発光部に対応して枠発光装置２７１〜２７５が設置されている。
【００４０】
枠発光装置２７１〜２７５は、上側中央縁部２１１Ａに対応する上中央枠発光装置２７１と、左上側縁部２１１Ｂに対応する左上枠発光装置２７２と、右上側縁部２１１Ｃに対応する右上枠発光装置２７３と、左側縁部２１１Ｄに対応する左側枠発光装置２７４と、右側縁部２１１Ｅに対応する右側枠発光装置２７５（図１０参照）とにより構成されている。枠発光装置２７１〜２７５の各々は、１又は複数の発光手段としての発光ダイオード（ＬＥＤ）と、ＬＥＤを制御するための抵抗等の電子部品と、これら電子部品を一体化して電気的に接続するプリント基板とを有している。
【００４１】
また、前ブロック１０２には、図５に示すように、例えばその開口周縁部２１１の上部に、左上音響出力口２１１Ｆと、右上音響出力口２１１Ｇとが設けられ、また、それら左上音響出力口２１１Ｆ及び右上音響出力口２１１Ｇのそれぞれに対応して左上音響装置２８１及び右上音響装置２８２（図３及び図１０参照）が設けられている。左上音響装置２８１及び右上音響装置２８２は、前面装飾体２１０の開口周縁部２１１の奥方（後方）に位置するようにして基枠２０１に取り付けられている。また、前ブロック１０２には、左上音響装置２８１及び右上音響装置２８２とは別の音響装置２８３〜２８５が、前側に効果音を出力可能に設けられており（図１０参照）、それら音響装置２８３〜２８５の説明については後述する。
【００４２】
また、前ブロック１０２には、図１に示すように、例えば上側突出部２１７の上面右側部分に、遊技球貸出装置２９０が設けられている。遊技球貸出装置２９０は、度数表示装置２９１と、遊技球の貸し出しを受ける際に遊技者によって操作される貸出操作装置２９２と、返却操作装置２９３とを含み、パチンコ機１００に並んで配置されるカードユニット等の遊技球管理装置７００（図１３参照）と通信可能に構成され、遊技球管理装置７００を介して遊技場からの遊技球の貸出に関する情報を遊技者が認識して操作可能に構成されている。
【００４３】
度数表示装置２９１は、遊技球管理装置７００（図１３参照）に管理されている情報であって遊技者が所持する遊技価値（管理されている金額や遊技球数）に関する情報を表示可能な装置であり、遊技球管理装置７００に投入された紙幣の金額や、遊技球管理装置７００にて使用されるカードやコイン等の価値記憶媒体に記録されている投入された紙幣のうち未使用の残額に相当する数値等を表示する。返却操作装置２９３は、遊技球管理装置７００に投入された金額や、その金額のうち貸し出しがされていない残額に対応した情報を記憶する価値記憶媒体としてのカードやコイン等を返却させる際に、遊技者によって操作される装置（例えば、押下操作が可能な押しボタン式の装置）である。
【００４４】
ここで、遊技球管理装置７００には、遊技者が所持している遊技球（以下、所持球ともいう）を投入可能に構成され、所持球を投入することで投入された所持球の数（以下、所持球数ともいう）に対応した情報が、遊技者の所持する金額と共に、価値記憶媒体に記憶される。遊技者は、遊技中のパチンコ機１００に並んで配置される遊技球管理装置７００でも、他のパチンコ機に並んで配置される別の遊技球管理装置７００でも、価値記憶媒体に記憶された金額や所持球数に対応した数分の遊技球の貸し出しを、価値記憶媒体を遊技球管理装置７００に挿入し、遊技球貸出装置２９０を操作する等して実行することができる。
【００４５】
遊技球管理装置７００に、紙幣や、カード等の価値記憶媒体を投入すると、それらの金額（残額）に対応する数値が度数表示装置２９１に表示される。その金額が度数表示装置２９１に表示されている有効状態において、貸出操作装置２９２に対して貸出操作が行われると、貸出操作に応じて所定の個数の遊技球が後ブロック１０４の払出装置５４０（図８参照）から貸し出され、遊技球の貸し出しに伴って度数表示装置２９１の表示が更新される。一方、有効状態において返却操作装置２９３に対して返却操作が行われると、返却操作に応じて残額に対応する紙幣の等価物や残額を記録した価値記憶媒体が遊技球管理装置７００から返却される。
【００４６】
また、前ブロック１０２には、図１に示すように、遊技者によって発射操作とは別の入力操作が可能な入力操作装置２６０が設けられている。入力操作装置２６０は、例えば、押込操作が可能な押圧操作装置２６１と、回転操作が可能な回転操作装置２６２と、上下左右の方向操作が可能な選択操作装置２６３とを備えている。これら操作装置２６１〜２６３により、パチンコ機１００において実行される演出を選択する演出選択操作や、パチンコ機１００の演出を実行する各装置の音量や光量を設定する装置設定操作、或いは、遊技者に関する情報を入力して前回以前の遊技に応じたパチンコ機１００の演出を実行可能とする演出設定操作等が実行可能とされ、これら操作を必要に応じて遊技者や遊技場の管理者が実行可能とされている。なお、入力操作装置２６０において遊技者が接触する入力操作部（例えば、回転操作装置２６２における円環状の回転操作部）は、モータやソレノイド等の入力操作部駆動手段によって回転、上下動、又は、振動等の動作がパチンコ機１００の制御（例えば、副制御基板９４０（図１０参照）の制御）により実行可能に構成されることが好ましく、入力操作の前後、又は、入力操作中のいずれか又は複数のタイミングで入力部分を動作させることにより、入力操作を積極的に促すなど入力操作を伴う演出を多様にすることができる。
【００４７】
次に、中間ブロック１０３について説明する。中間ブロック１０３は、前ブロック１０２と略同一サイズの略長方形状をした部材であり、前ブロック１０２と後ブロック１０４とが取り付けられることにより、パチンコ機１００の本体部分を一体化した状態にする機能を有している。中間ブロック１０３は、基枠３０１に対して遊技盤４００を含む複数の機能部品を取り付けて構成されている。
【００４８】
中間ブロック１０３は、図３及び図４に示すように、開口を有する基枠３０１と、基枠３０１の開口を覆いつつ前面側より取着される遊技盤４００（図３参照）と、基枠３０１に対して遊技盤４００を回動自在及び着脱自在に支持する遊技盤支持機構と、基枠３０１に対して遊技盤４００の位置を固定する遊技盤固定機構と、遊技盤４００に遊技球を射出する発射装置３３０（図３参照）と、遊技盤４００の背面側に装着されて遊技進行を統括的に制御する主制御装置３７０（図４参照）と、主制御装置３７０からの命令に基づいて遊技演出や状態報知を制御する副制御装置３９０（図４参照）とを備えている。
【００４９】
基枠３０１には、図３に示すように、後述する払出装置５４０（図８参照）から放出された遊技球を前ブロック１０２に誘導する誘導通路が内部に形成される誘導通路部３０１Ａと、複数の配線（図示せず）や信号中継装置３１１が位置する開孔３０１Ｂとが設けられている。開孔３０１Ｂは、遊技盤４００より下側において前後方向に貫通する形状をなし、開孔３０１Ｂに挿通される複数の配線は、前ブロック１０２に設けられる種々の装置（例えば、枠発光装置２７１〜２７５、左上音響装置２８１及び右上音響装置２８２）と、中間ブロック１０３の背面側や後ブロック１０４に設けられる装置（例えば、主制御装置３７０や副制御装置３９０）とを電気的に接続するための配線を含み、信号中継装置３１１は、その配線の一部を中継する中継基板としての機能を有している。
【００５０】
遊技盤４００は、図３に示すように、排出口４０１Ａ等の遊技球が前後に通過可能な貫通孔を有する平板状の基体４０１と、基体４０１の左下から右上に亘り滑らかに湾曲する外レール４０２と、基体４０１の右下から左上に亘り滑らかに湾曲する内レール４０３と、内レール４０３の左上側の先端に取着された戻り球防止機構４０４と、外レール４０２の右上側の先端に取着される反跳防止部材４０５とを備えている。外レール４０２は、後述する発射装置３３０から発射された遊技球を遊技領域内へ誘導するものである。戻り球防止機構４０４は、外レール４０２及び内レール４０３が平行に対向する間部分で形成される発射通路４０１Ｂから遊技領域内へ一旦放出された遊技球が発射通路４０１Ｂに戻ることを防止する。反跳防止部材４０５は、遊技盤４００の上部中央を越えて右側に向かった遊技球が再び上部中央を経由して左側に戻るような遊技球の大幅な反跳を防止する衝撃吸収性を有し、例えば、制振ゴム等の材料により形成されている。
【００５１】
前ブロック１０２の背面側下部には、図３に示すように、戻り球通路部１６３が形成されている。発射装置３３０から発射通路４０１Ｂの方向へ遊技球を誘導する誘導部材３３５と外レール４０２との間には間隙があり、発射装置３３０から発射されたが戻り球防止機構４０４を超えるに至らず発射通路４０１Ｂを逆戻りする遊技球は、この間隙の下方に配置される戻り球通路部１６３を介して流入口２４１Ａ（図５参照）から補助貯留機構２４０（図５参照）に返却される。
【００５２】
戻り球防止機構４０４を超えて進行した遊技球は、遊技領域に到達し、遊技領域内を自重により落下しながら移動（流下）する。遊技領域は、略円形状の外周形状をなし、遊技球の直径より僅かに大きな前後幅を有する領域を大部分とする形状に区画されている。遊技領域は、概ね、外レール４０２及び内レール４０３とで外周部分が区画され、前側が中央パネル２２０の後方板２２３によって略平面状に区画され、後側が遊技盤４００の基体４０１によって略平面状に区画されている。なお、遊技領域に設けられる各種の構造物については後述する。
【００５３】
発射装置３３０は、図３に示すように、主貯留機構２３０に貯留されている遊技球を順次に発射位置に送り出す球送り機構３３１と、球送り機構３３１を駆動する球送りソレノイド３３２（図１０参照）と、発射位置に配置された遊技球を射出する発射機構３３３と、発射機構３３３を駆動する発射ソレノイド３３４（図１０参照）と、発射機構３３３から発射された遊技球を遊技盤４００の発射通路４０１Ｂに誘導する誘導部材３３５とを備えている。発射装置３３０は、上述のように発射操作装置２５０に対する発射操作に応じて作動し、発射操作装置２５０に対する発射操作に応じて発射ソレノイド３３４の駆動制御が変化して発射力が調整される。
【００５４】
主制御装置３７０は、図４に示すように、主制御基板９２０（図１０参照）と、主制御基板９２０を収容する２つ割り構造の基板ケース３７１とを備えている。主制御基板９２０は、痕跡を残さずには開封できないように封止された透光性を有する基板ケース３７１の内部に収容されている。
【００５５】
また、主制御装置３７０は、遊技盤４００の背面側に回動自在に取り付けられている。具体的には、遊技盤４００の基体４０１に対して背面側に取り付け部３７２が回動可能に連結固定され、その取り付け部３７２に主制御装置３７０が取り付けられている。これにより、主制御装置３７０の背面側（表面側）だけでなく、取り付け部３７２を回動操作することで主制御装置３７０の前面側（裏面側）も、遊技盤４００に主制御装置３７０を取り付けたままで容易に確認可能とされている。取り付け部３７２に対して主制御装置３７０は、痕跡を残さずには取り外しできないように連結しても良く、主制御装置３７０の取り外し状況を管理し易くしても良い。
【００５６】
副制御装置３９０は、副制御基板９４０（図１０参照）と、副制御基板９４０を収容する２つ割り構造の基板ケース３９１とを備えている。副制御基板９４０は、例えば、主制御基板９２０と同様に痕跡を残さずには開封できないように封止された透光性を有する基板ケース３９１の内部に収容された状態にして遊技盤４００の背面側に取り付けられている。
【００５７】
ここで、遊技盤４００において、遊技領域に配置される各種の構造物について、図７を主に参照して説明する。図７は、遊技盤４００の正面図である。
【００５８】
遊技盤４００は、図７に示すように、基体４０１と、遊技球の流下方向や流下速度に変化を与える釘４１１や風車４１２等の流下変化部材と、基体４０１の概ね中央に配置された中央構造体４２０と、中央構造体４２０に対して下側に配置された第１特別図柄に係る始動装置（具体的には、上側中始動入賞装置４３１Ａ及び下側中始動入賞装置４３１Ｂ）と、中央構造体４２０に対して右下側に配置された第２特別図柄に係る始動装置（具体的には、右始動入賞装置４３２）と、右始動入賞装置４３２の下方に配置された大入賞装置４３３，４３４（具体的には、下大入賞装置４３３及び上大入賞装置４３４）と、右始動入賞装置４３２の上側（上流側）に配置された普通図柄に係る始動装置４３６と、遊技盤４００の右上側であって上下の大入賞装置４３３，４３４に対して上方（上流側）に配置された役連作動装置４３５と、下側中始動入賞装置４３１Ｂの左右両側に配置された一般入賞装置４３９Ａ，４３９Ｂとを備えている。
【００５９】
また、遊技盤４００には、上記した上側中始動入賞装置４３１Ａ等に対応して遊技球の通過を検出する検出手段としてのスイッチが複数設けられており（図１０参照）、各スイッチに対応した所定領域への遊技球の進入が検出可能とされている。例えば、上側中始動入賞装置４３１Ａに進入した遊技球を検出する中始動入賞スイッチ（上側中始動入賞スイッチ４４１Ａ）、下側中始動入賞装置４３１Ｂに進入した遊技球を検出する中始動入賞スイッチ（下側中始動入賞スイッチ４４１Ｂ）、右始動入賞装置４３２に進入した遊技球を検出する右始動入賞スイッチ４４２、下大入賞装置４３３に進入した遊技球を検出する下大入賞スイッチ４４３、上大入賞装置４３４に進入した遊技球を検出する上大入賞スイッチ４４４、役連作動装置４３５に進入した遊技球を検出する役連作動スイッチ４４５、始動装置４３６に進入した遊技球を検出する始動スイッチ４４６、下大入賞装置４３３の内部に形成された非特定通路（図示せず）に進入した遊技球を検出する非特定通路スイッチ４４７、下大入賞装置４３３の内部に形成された特定通路（図示せず）に進入した遊技球を検出する特定通路スイッチ４４８、一般入賞装置４３９Ａ，４３９Ｂに進入した遊技球を各々検出する一般入賞スイッチ４４９Ａ，４４９Ｂ等が遊技盤４００に設置されている。
【００６０】
また、遊技盤４００には、不正防止のために各種センサが設けられており（図１０参照）、パチンコ機１００に発生した異常を検出可能とされている。例えば、磁気センサ４９１、振動センサ４９２、電波センサ４９３等が遊技盤４００に設置されている。
【００６１】
中央構造体４２０及び始動装置４３６の遊技球の入口部分は入球口を構成し、各入球口に進入した遊技球は遊技領域に放出される。各入賞装置、具体的には、上側中始動入賞装置４３１Ａ、下側中始動入賞装置４３１Ｂ、右始動入賞装置４３２、下大入賞装置４３３、上大入賞装置４３４及び一般入賞装置４３９Ａ，４３９Ｂの遊技球の入口部分は入賞口を構成し、各入賞口に進入した遊技球は基体４０１に形成された貫通孔を通して基体４０１の背面側に形成された回収排出通路（図示せず）に案内される。また、各入賞装置に進入しなかった遊技球は、遊技領域の最下流側部分に設けられる排出口４０１Ａを通して回収排出通路へ案内される。回収排出通路に案内された遊技球は、パチンコ機１００から遊技場に設けられた遊技球循環装置（図示せず）に排出される。いずれかの入賞装置に遊技球が進入した場合には、入賞装置の種類に応じた所定の個数の遊技球が払出装置５４０（図８及び図９参照）から払い出される。なお、各入賞装置は、他の入賞装置と別々に構成されても良いし、２以上の入賞装置（例えば、上側中始動入賞装置４３１Ａ及び下側中始動入賞装置４３１Ｂ）が一体化された装置によって入賞装置が構成されても良く、また、上側中始動入賞装置４３１Ａ等の始動装置については必ずしも遊技球が進入した場合に所定の個数の遊技球が払い出される入賞口とする必要はなく、遊技球が払い出されることなく遊技領域に再び放出される入球口としても良い。
【００６２】
第１特別図柄に係る上側中始動入賞装置４３１Ａ及び下側中始動入賞装置４３１Ｂ、並びに、一般入賞装置４３９Ａ及び一般入賞装置４３９Ｂの各々は、それらへの遊技球の進入確率を変化させず、進入した遊技球を基体４０１の背面側へ誘導する。また、第２特別図柄に係る右始動入賞装置４３２は、その内部への遊技球の進入確率を変化させる機構を有している。なお、遊技球の進入確率を変化させる機構は、第２特別図柄に係る始動装置のみに設ける必要はなく、それに代えて、又は、それに加えて、第１特別図柄に係る始動装置、一般入賞装置４３９Ａ，４３９Ｂのいずれか又は複数に設けても良い。また、遊技球の進入確率を変化させる機構は、電気的に駆動されるソレノイド等の駆動手段により構成しても良いし、所定領域へ入球した遊技球の自重により動作する機構に代表される機械的に動作する機構により構成しても良い。
【００６３】
第２特別図柄に係る右始動入賞装置４３２は、進入許容姿勢と進入禁止姿勢との間の移行によって、その内部への遊技球の進入確率を変化させる右進入規制機構４５２と、右進入規制機構４５２を駆動する右進入規制ソレノイド４６２（図１０参照）とを備えている。右進入規制機構４５２は、右進入規制ソレノイド４６２によって駆動される２つの可動片を備えており、右進入規制機構４５２が進入禁止姿勢である場合には、２つの可動片が進入口（入賞口）を狭窄する（又は閉鎖する）配置をとることによって遊技球は右始動入賞装置４３２に進入できないが、右進入規制機構４５２が進入許容姿勢である場合には、２つの可動片がそれらの先端部の間隔が拡大するような配置をとることによって遊技球は右始動入賞装置４３２に進入できるようになる。右進入規制機構４５２は、普通図柄に係る始動装置４３６へ進入した遊技球が始動スイッチ４４６で検出されることに基づく抽選（以下において「普通図柄抽選」とも称す）で当選した場合に、右進入規制ソレノイド４６２による駆動に応じて所定の回数及び所定の時間だけ進入許容姿勢に移行する。
【００６４】
下大入賞装置４３３には、図７に示すように、進入許容姿勢と進入禁止姿勢との間の移行によって、その内部への遊技球の進入を規制する下進入規制機構４５３と、下進入規制機構４５３の姿勢を変化させる下進入規制ソレノイド４６３（図１０参照）と、非誘導姿勢と誘導姿勢との間の移行によって、下大入賞装置４３３に進入した遊技球を非特定通路又は特定通路に振り分ける振分機構（図示せず）と、振分機構の姿勢を変化させて遊技球の誘導先を切り換える切換ソレノイド４６５（図１０参照）とが設けられている。下大入賞装置４３３の下進入規制機構４５３が進入禁止姿勢である場合には、下進入規制機構４５３が進入口（入賞口）を閉鎖することによって遊技球は下大入賞装置４３３に進入できないが、下進入規制機構４５３が進入許容姿勢である場合には、下進入規制機構４５３が進入口を開放することによって遊技球は下大入賞装置４３３に進入できるようになる。また、下大入賞装置４３３に進入した遊技球は、振分機構が前方に突出する非誘導姿勢である場合には非特定通路に案内され、振分機構が後方に没入する誘導姿勢である場合には特定通路に誘導される。特定通路、非特定通路及び振分機構は、遊技状態の移行を多様にするために設けられ、特定通路へ遊技球が進入した場合には、遊技者に特典として有利な遊技状態が付与される。
【００６５】
上大入賞装置４３４には、図７に示すように、進入許容姿勢と進入禁止姿勢との間の移行によって、その内部への遊技球の進入を規制する上進入規制機構４５４と、上進入規制機構４５４の姿勢を変化させる上進入規制ソレノイド４６４（図１０参照）とが設けられている。上進入規制機構４５４が進入禁止姿勢である場合には、上進入規制機構４５４が進入口（入賞口）を閉鎖することによって遊技球は上大入賞装置４３４に進入できないが、上進入規制機構４５４が進入許容姿勢である場合には、上進入規制機構４５４が進入口を開放することによって遊技球は上大入賞装置４３４に進入できるようになる。
【００６６】
なお、右進入規制機構４５２等の内部への遊技球の進入確率を変化させる機構としての進入許容姿勢及び進入禁止姿勢としては、各機構を構成して各装置の入賞口（又は入球口）に遊技球が進入可能な特別状態と、遊技球が進入不能な通常状態とを切り替える動作部材の姿勢変化に対応し、各姿勢に応じて動作部材の位置及び向きの少なくともいずれかが異なるものであれば良い。また、右進入規制機構４５２等の遊技球の進入確率を変化させる機構として、遊技球が進入不能な状態を通常状態とする必要は必ずしもなく、通常状態においても遊技球の進入を許容し、特別状態においては通常状態より遊技球が進入し易い状態に動作部材の姿勢が変化する構成としても良い。
【００６７】
下大入賞装置４３３及び上大入賞装置４３４には、大当りの抽選に当選した場合に遊技球が進入可能となる。具体的には、第１特別図柄に係る上側中始動入賞装置４３１Ａ若しくは下側中始動入賞装置４３１Ｂへ進入した遊技球が上側中始動入賞スイッチ４４１Ａ若しくは下側中始動入賞スイッチ４４１Ｂで検出されることに基づく抽選（以下において「第１特別図柄抽選」とも称す）に当選した場合、又は、第２特別図柄に係る右始動入賞装置４３２へ進入した遊技球が右始動入賞スイッチ４４２で検出されることに基づく抽選（以下において「第２特別図柄抽選」とも称す）に当選した場合には、下進入規制ソレノイド４６３又は上進入規制ソレノイド４６４の少なくとも一方が作動する。この作動によって所定の回数に亘り所定の時間だけ下進入規制機構４５３又は上進入規制機構４５４の少なくとも一方が進入許容姿勢をとる。また、振分機構は、下進入規制機構４５３の進入許容姿勢への移行から所定の時間後に切換ソレノイド４６５の作動に応じて誘導姿勢に移行し、更に誘導姿勢への移行から所定の時間後に切換ソレノイド４６５の停止に応じて非誘導姿勢に戻る。
【００６８】
役連作動装置４３５は、下大入賞装置４３３及び上大入賞装置４３４が作動を開始するために必要な条件を設定するための装置である。大当りの抽選に当選した後には、役連作動装置４３５の遊技球の通過を条件として、下大入賞装置４３３又は上大入賞装置４３４のいずれかが作動を開始する。このため、遊技者は、大当りに当選した場合、自らの意図するタイミングで特別遊技状態を開始させることができる。なお、必ずしも役連作動装置４３５の遊技球の通過を条件として、下大入賞装置４３３又は上大入賞装置４３４のいずれかが作動を開始する構成とする必要はなく、それに代えて、又は、それに加えて、予め定めた時間の経過により下大入賞装置４３３又は上大入賞装置４３４のいずれかが作動を開始する構成としても良い。
【００６９】
また、遊技盤４００には、図７に示すように、図柄の変動表示や抽選結果を表示する表示装置４７１〜４７３と、遊技の保留回数を表示する表示装置４７６〜４７８とが一体化された複数の発光部を有する表示器が、遊技盤４００の一部に相当する左下部分に設けられている。複数の発光部は、各装置に対応する発光領域に予め区画され、各装置の状態が発光状態によって表示される。
【００７０】
具体的には、遊技盤４００には、第１特別図柄抽選に伴って、第１特別図柄を変動表示したり、第１特別図柄を抽選結果に応じた停止図柄で確定表示したりする第１特別図柄に係る特別図柄表示装置４７１と、第２特別図柄抽選に伴って、第２特別図柄を変動表示したり、第２特別図柄を抽選結果に応じた停止図柄で確定表示したりする第２特別図柄に係る特別図柄表示装置４７２と、第１特別図柄に係る単位遊技の保留回数を表示する特別図柄保留表示装置４７６と、第２特別図柄に係る単位遊技の保留回数を表示する特別図柄保留表示装置４７７とが設けられている。第１特別図柄に係る単位遊技の権利及び第２特別図柄に係る単位遊技の権利はそれぞれ最大４回まで保留される。ここで、単位遊技とは、１回の始動入賞に基づいて実行される１回分の遊技であり、１回の始動入賞に基づいて実行される抽選の当否判定と、その当否判定に基づいた抽選結果を表示するまでの変動表示の開始から終了までを含む一連の遊技をいう。
【００７１】
第１特別図柄に係る単位遊技の権利が最大回数まで保留されている場合には、始動入賞装置４３１に進入した遊技球が上側中始動入賞スイッチ４４１Ａ（図１０参照）又は下側中始動入賞スイッチ４４１Ｂ（図１０参照）によって検出されたとしても第１特別図柄に係る単位遊技の権利は追加されない。同様に、第２特別図柄に係る単位遊技の権利が最大回数まで保留されている場合に、右始動入賞装置４３２に進入した遊技球が右始動入賞スイッチ４４２（図１０参照）によって検出されたとしても第２特別図柄に係る単位遊技の権利は追加されない。
【００７２】
第１特別図柄に係る特別図柄表示装置４７１及び第２特別図柄に係る特別図柄表示装置４７２の各々は、複数の発光部で構成されており、主制御基板９２０（図１０参照）によって制御される。第１特別図柄の表示及び第２特別図柄の表示の各々は、複数の発光部の発光パターン（発光色を含む発光状態（消灯、点灯、点滅）の組合せ）によって表現される。第１特別図柄に係る特別図柄保留表示装置４７６及び第２特別図柄に係る特別図柄保留表示装置４７７は、２個の単色の発光部の発光状態（消灯、点灯、点滅）の組合せによって保留回数を表示する。
【００７３】
また、遊技盤４００には、普通図柄抽選に伴って、普通図柄を変動表示したり、普通図柄を抽選結果に応じた停止図柄で確定表示したりする普通図柄表示装置４７３と、普通図柄に係る単位遊技の権利の保留回数を表示する普通図柄保留表示装置４７８とが設けられている。普通図柄に係る単位遊技の権利は最大４回まで保留される。普通図柄に係る単位遊技の権利が最大回数まで保留されている場合には、始動装置４３６に進入した遊技球が始動スイッチ４４６によって検出されたとしても普通図柄に係る単位遊技の権利は追加されない。
【００７４】
普通図柄表示装置４７３は、複数の発光部で構成されており、主制御基板９２０（図１０参照）によって制御される。普通図柄は、複数の発光部の発光パターンによって表現される。また、普通図柄保留表示装置４７８は、２個の単色の発光部の発光状態（消灯、点灯、点滅）の組合せによって保留回数を表示する。
【００７５】
また、遊技盤４００には、中央構造体４２０の後方に重なるようにして、第１特別図柄及び第２特別図柄に係る単位遊技において、装飾図柄を変動表示したり、装飾図柄を確定表示したりする装飾図柄表示装置４７９が設けられている。装飾図柄の変動表示及び確定表示は、副制御基板９４０により制御され、主制御基板９２０による第１特別図柄や第２特別図柄の変動表示及び確定表示と同期している。装飾図柄の変動表示においては、第１特別図柄や第２特別図柄の変動表示よりも複雑かつ多様な演出が実行される。なお、第１特別図柄や第２特別図柄の変動表示及び確定表示と装飾図柄の変動表示及び確定表示とは、必ずしも完全に一致するタイミングで変動開始したり、確定表示として停止表示をしたりする必要はなく、各タイミングに僅かな時間差を設けつつ略同じタイミングで変動を開始し、略同じタイミングで確定表示が行われる設定としても良い。
【００７６】
また、遊技盤４００は、各種の構造物の裏側に設けられた盤面発光装置４９０（図１０参照）を備えており、盤面発光装置４９０は、副制御基板９４０による制御に基づいて遊技進行に伴う各種の発光演出や発光による状態報知を実行する。
【００７７】
ここで、各種の遊技状態及び遊技状態間の移行について説明する。通常時の遊技状態（以下において「通常遊技状態」とも略記する）は、第１特別図柄、第２特別図柄及び普通図柄の変動表示時間が長い状態（以下において「非時短状態」とも称す）に対応する。
【００７８】
第１特別図柄抽選又は第２特別図柄抽選において大当りに当選した場合には、その当選に基づいて移行する特別遊技状態中に遊技球が特定通路（下大入賞装置４３３の内部通路）へ進入するか否かに対応して、特別遊技状態後に移行する遊技状態が異なる。特別遊技状態中に遊技球が特定通路へ進入しなかった場合には、第１特別図柄抽選、第２特別図柄及び普通図柄の変動表示時間が非時短状態よりも短い状態（以下において「時短状態」とも称す）であって、かつ、第１特別図柄抽選及び第２特別図柄抽選における大当りの当選確率が通常遊技状態と同一の状態（以下において「低確率状態」とも称す）である遊技状態（以下において「時短遊技状態」とも称す）へ移行する。一方、特別遊技状態中に遊技球が特定通路へ進入した場合には、時短状態であって、かつ、第１特別図柄抽選及び第２特別図柄抽選における大当りの当選確率が通常遊技状態より高い状態（以下において「高確率状態」とも称す）である遊技状態（以下において「確変遊技状態」とも称す）へ移行する。
【００７９】
時短遊技状態は、第１特別図柄及び第２特別図柄に係る単位遊技の総数が所定の回数（例えば、５０回）となるまで維持されるが、その後は通常遊技状態に戻る。また、確変遊技状態は、第１特別図柄及び第２特別図柄に係る単位遊技の総数が所定の回数（例えば、１００回）となるまで維持されるが、その後は通常遊技状態に戻る。
【００８０】
なお、遊技状態及び遊技状態間の移行について、必ずしも上述した構成とする必要はなく、例えば、高確率状態が次回の大当りの当選まで継続する構成としても良いし、他の内容によって上記遊技状態の少なくとも１つを構成しても良いし、上述した各遊技状態とは別の遊技状態を更に含む構成としても良いし、上述した条件とは異なる条件によって遊技状態間が移行する構成としても良い。
【００８１】
次に、遊技盤４００の主要な装置の動作について概ね時系列に沿って説明する。主制御基板９２０においては、特別図柄（第１特別図柄及び第２特別図柄で共通）に係る当選乱数、大当り図柄乱数、停止パターン乱数、各種の変動パターン乱数が生成されており、各種の遊技状態において第１特別図柄に係る始動入賞装置４３１Ａ，４３１Ｂのいずれかに進入した遊技球が中始動入賞スイッチ４４１Ａ，４４１Ｂ（図１０参照）のいずれかによって検出された場合に第１特別図柄の始動入賞となる。第１特別図柄の始動入賞時に、第１特別図柄に係る単位遊技の権利が最大回数まで保留されていない場合には、特別図柄に係る当選乱数、大当り図柄乱数及び停止パターン乱数が取得されて、主制御基板９２０のＲＡＭの所定の領域に格納される。
【００８２】
第１特別図柄の始動入賞に基づいて取得された乱数による単位遊技は、特別遊技状態中でなく、第１特別図柄又は第２特別図柄に係る単位遊技中でもなく、第１特別図柄に係る単位遊技の権利が保留されていない場合には、それらの乱数の格納の直後に開始される。また、特別遊技状態中でない場合であっても、第１特別図柄又は第２特別図柄に係る単位遊技中や第１特別図柄又は第２特別図柄に係る単位遊技の権利が保留されている場合には、今回の入賞より前に保留されていた全ての特別図柄（第１特別図柄及び第２特別図柄）に係る単位遊技の終了後に、今回の始動入賞に基づく単位遊技が開始される。特別遊技状態中に第１特別図柄の始動入賞に基づいて各乱数が取得された場合には、その乱数による単位遊技は、特別遊技状態後において今回の始動入賞より前に保留されていた全ての特別図柄に係る単位遊技の後に開始される。
【００８３】
また、第１特別図柄の始動入賞に基づいて取得された乱数による単位遊技は、第２特別図柄に係る全ての単位遊技の終了後に開始される。すなわち、今回の始動入賞の後に第２特別図柄の始動入賞に基づいて各乱数が取得された場合には、その第２特別図柄の始動入賞に基づく単位遊技が優先して実行される。なお、必ずしも第２特別図柄の始動入賞に基づく単位遊技が第１特別図柄に係る単位遊技に優先して実行される構成とする必要はなく、始動入賞の順に第１特別図柄と第２特別図柄に係る単位優位制御が実行される構成であっても良いし、２つの特別図柄が択一的でなく同時に変動可能な構成であっても良い。
【００８４】
第１特別図柄の始動入賞に基づく第１特別図柄抽選において大当りに当選している場合には、更に、取得された大当り図柄乱数に基づいて第１特別図柄抽選の大当り当選に対応する停止図柄（大当り図柄）の種類が決定される。この停止図柄の種類と大当りの種類とが対応し、例えば、下進入規制機構４５３又は上進入規制機構４５４が進入許容姿勢をとる回数に相当するラウンド数（例えば、６ラウンドと１６ラウンド）や、特別遊技状態後に移行する遊技状態（確変遊技状態へ移行させるか否か）といった遊技状態の種類に対応して大当りの種類が複数種類設定され、その種類毎に大当り図柄が設定されている。第１特別図柄抽選において大当りに当選しなかった場合には、大当り図柄とは別のハズレ図柄が停止図柄として設定される。
【００８５】
第１特別図柄抽選の後に、現在の遊技状態、抽選結果、停止パターン乱数の値、各種の変動パターン乱数の値、第１特別図柄に係る単位遊技の権利の保留回数に基づいて、第１特別図柄の変動表示時間が決定されると共に、装飾図柄の変動パターンが選択される。その後、第１特別図柄に係る特別図柄表示装置４７１における第１特別図柄の変動表示及び装飾図柄表示装置４７９における装飾図柄の変動表示（変動演出）が開始され、第１特別図柄にあっては変動表示時間に亘って一定のパターンによる変動表示が継続され、装飾図柄にあっては変動表示時間に亘って変動パターンに従った変動表示が継続される。その後、変動表示時間の経過に伴って、第１特別図柄に係る停止図柄が確定表示され、また、装飾図柄として第１特別図柄の停止図柄に対応する図柄が確定表示される。第１特別図柄及び装飾図柄の確定表示は少なくとも所定の一定時間に亘って継続される。
【００８６】
第１特別図柄に係る停止図柄が大当り図柄である場合には、第１特別図柄の確定表示後に、遊技状態は特別遊技状態に移行する。特別遊技状態においては、下大入賞装置４３３の下進入規制機構４５３及び上大入賞装置４３４の上進入規制機構４５４が、大当りの種類に応じた所定の順序で所定の回数だけ進入許容姿勢となる。下進入規制機構４５３及び上進入規制機構４５４における各回の進入許容姿勢中において、所定の個数（例えば、８個）の遊技球が大入賞スイッチ４４３，４４４によって検出された場合、又は、所定の最大進入許容時間（例えば、２９．５秒）が経過した場合には、下進入規制機構４５３又は上進入規制機構４５４は進入禁止姿勢に移行する。その後、所定の進入禁止時間の経過後に、再度、下進入規制機構４５３又は上進入規制機構４５４のいずれかが進入許容姿勢に復帰する。この進入規制動作が大当りの種類に対応した所定の順序で所定の回数だけ繰り返される。
【００８７】
下進入規制機構４５３及び上進入規制機構４５４は、特別遊技状態中においていずれか一方のみが進入許容姿勢をとる構成とされ、特別遊技状態の開始から所定の待機時間が経過した後（オープニング期間後）に初回の進入許容姿勢に一方が移行する。また、最終回の進入禁止姿勢への復帰から所定の進入禁止時間が経過し、更にその後に所定の待機時間が経過した後（エンディング期間後）に特別遊技状態は終了する。特別遊技状態の終了後には、上述のように、時短遊技状態又は確変遊技状態に移行する。
【００８８】
各種の遊技状態において、第２特別図柄に係る右始動入賞装置４３２に進入した遊技球が右始動入賞スイッチ４４２によって検出された場合に第２特別図柄の始動入賞となる。第２特別図柄の始動入賞に基づく単位遊技の制御は、上述した第１特別図柄に係る制御と同様に実行される。すなわち、第２特別図柄の始動入賞時に第２特別図柄に係る単位遊技の権利が最大回数まで保留されていなければ、特別図柄に係る各乱数が取得されて、この始動入賞に基づく単位遊技が実行される。また、第２特別図柄抽選に応じた停止図柄の決定、装飾図柄の変動パターンの選択、変動表示の実行、及び、遊技状態の移行制御等についても、第１特別図柄に係る制御と同様に実行される。
【００８９】
各種の遊技状態において、始動装置４３６に進入した遊技球が始動スイッチ４４６によって検出された場合、普通図柄に係る単位遊技の権利が最大回数まで保留されていなければ、普通図柄に係る当選乱数が取得されて、主制御基板９２０のＲＡＭの所定の領域に格納される。このとき、普通図柄に係る単位遊技中でなければ、その格納の直後に、その取得された普通図柄に係る単位遊技が開始される。一方、普通図柄に係る単位遊技中であれば、既得の普通図柄に係る単位遊技の権利に基づく単位遊技の終了後に、その取得された普通図柄に係る単位遊技が開始される。
【００９０】
普通図柄に係る単位遊技においては、当選乱数の値に基づいて当選したか否かが判定され、当選した場合には、停止図柄として所定の当り図柄が設定される。一方、普通図柄抽選において当選しなかった場合には、停止図柄として所定のハズレ図柄が設定される。普通図柄抽選後に、普通図柄表示装置４７３において普通図柄の変動表示が開始され、非時短状態にあっては所定の変動表示時間に亘って一定のパターンによる変動表示が継続され、時短状態にあっては非時短状態よりも短い所定の変動表示時間に亘って一定のパターンによる変動表示が継続される。遊技状態に応じた所定の時間の経過に伴って、普通図柄に係る停止図柄が一定時間に亘って確定表示される。
【００９１】
普通図柄に係る停止図柄が当り図柄である場合には、普通図柄の確定表示後に、右始動入賞装置４３２の右進入規制機構４５２が少なくとも１回は進入許容姿勢に移行する。具体的には、非時短状態（通常遊技状態及び特別遊技状態）において当選した場合には、右始動入賞装置４３２が所定の最大進入許容時間（例えば、略０．１秒）に亘って進入許容状態へ移行し、時短状態（時短遊技状態及び確変遊技状態）における当選の場合には、右始動入賞装置４３２が非時短状態の場合より長い所定の最大進入許容時間（例えば、略４．８秒）に亘って間欠的に（例えば、３回に分けて）進入許容姿勢に移行する。但し、所定の個数（例えば、１０個）の遊技球が右始動入賞スイッチ４４２によって検出された場合には、右進入規制機構４５２は最大進入許容時間の経過を待たずに進入禁止姿勢に移行し、また、進入許容姿勢への移行回数が所定の回数に到達していなくても、今回の普通図柄に係る単位遊技における右始動入賞装置４３２の動作が終了する。
【００９２】
次に、本実施形態のパチンコ機１００の遊技性について説明する。第２特別図柄抽選を受けるためには、まず、普通図柄抽選において当選しなければならず、更に、その当選に基づく右始動入賞装置４３２の進入許容状態において遊技球が右始動入賞装置４３２へ進入しなければならない。通常遊技状態における普通図柄に係る当りの当選確率は時短遊技状態における当選確率と同一であるが、通常遊技状態における当りの当選に基づく右始動入賞装置４３２の進入許容状態の滞在時間（例えば、略０．１秒）が時短状態における滞在時間（例えば、略４．８秒）に比べて極めて短く設定されているために、通常遊技状態において、第２特別図柄抽選を受けられる単位時間当りの機会は、第１特別図柄抽選を受けられる単位時間当りの機会よりも大幅に小さい。逆に、時短遊技状態や確変遊技状態等の時短状態においては、第２特別図柄抽選を受けられる単位時間当りの機会は、第１特別図柄抽選を受けられる単位時間当りの機会よりも大幅に大きい。
【００９３】
したがって、遊技者は、第１特別図柄抽選において大当りに当選し、その後の特別遊技状態において遊技球を特定通路へ進入させることによる確変遊技状態への移行を目指して遊技する。一方、時短遊技状態及び確変遊技状態においては、各遊技状態が終了する前に第２特別図柄抽選において大当りに当選することを目指して遊技する。
【００９４】
具体的には、遊技盤４００には、遊技球が流下する遊技領域の中央部に中央構造体４２０が設けられ、主に中央構造体４２０の左側から遊技球を流下させる遊技手法（左打ち遊技手法）と、主に中央構造体４２０の右側から遊技球を流下させる遊技手法（右打ち遊技手法）とが選択的に行える構成となっている。遊技者は、通常遊技状態においては、左打ち遊技手法によって遊技を行い、時短遊技状態及び確変遊技状態においては、右打ち遊技手法によって遊技を行う。また、下大入賞装置４３３及び上大入賞装置４３４が中央構造体４２０に対して右側に配置されているので、特別遊技状態においても右打ち遊技手法によって遊技を行う。
【００９５】
次に、後ブロック１０４について説明する。図８及び図９は、それぞれ、パチンコ機１００を示す背面側斜視図及び背面図である。なお、図８においては、理解の容易のために、外枠１０１を省略して示している。
【００９６】
後ブロック１０４は、図８及び図９に示すように、基体５０１に他の部材や装置が取着されて構成されている。この基体５０１と中間ブロック１０３とが後ブロック支持機構１３６，１３７によって接続されることにより、後ブロック１０４が中間ブロック１０３に対して開閉可能に支持されている。
【００９７】
後ブロック１０４は、遊技球を貯留する球貯留部としての遊技球タンク５１０と、遊技球タンク５１０の下流側に連続して遊技球を（例えば、１列に）整流させると共に１段に整列させる球整列部としてのタンクレール５２０と、タンクレール５２０の下流側においてタンクレール５２０から流入した遊技球を誘導する球誘導部としてのケースレール５３０と、ケースレール５３０の下流側において遊技球の払い出しや遊技球の貸し出しを実行する払出装置５４０と、払出装置５４０の下流側において払出装置５４０から流出した遊技球を基体５０１に形成された誘導通路に誘導する誘導部材５５０と、払出装置５４０による遊技球の払い出しや遊技球の貸し出しを制御する払出制御装置５６０と、外部電力を各種の装置等で必要とする所定の電圧の電力に変換して出力する電力供給手段としての機能と発射操作装置２５０に対する発射操作に基づく遊技球の射出を主制御基板９２０と協同して制御する発射制御手段としての機能とを有する電源・発射制御装置５７０と、払出制御装置５６０及び遊技球貸出装置２９０（図１参照）とパチンコ機１００の側方に配置されるカードユニット（図示せず）との間の信号を中継する中継装置９５０とを備えている。
【００９８】
基体５０１は、樹脂（例えば、ＡＢＳ樹脂）により一体成型されており、前側部分に対応するベース部５０２と、ベース部５０２よりも後方に位置した保護カバー部５０３とを含んでいる。ベース部５０２は、その上側部分が後ブロック１０４の外形に沿って略枠状に形成されると共に、下側部分が前後方向に厚みを有する略平坦状に形成されており、他の装置が取り付けられる被取付部としての機能を有している。
【００９９】
保護カバー部５０３は、前後方向に厚みを有する略板状に形成されている。また、保護カバー部５０３は、中間ブロック１０３の背面全域を覆う形状でなく、主制御装置３７０の一部といった頻繁に検査や確認が必要な中間ブロック１０３の背面における一部をパチンコ機１００の背面に露出するための窓部を形成する大きさに設定されている。保護カバー部５０３の背面には、主制御装置３７０及び副制御装置３９０における発熱の放熱性を向上させる機能を有する多数の通気孔５０３Ａが形成されている。
【０１００】
遊技球タンク５１０は、上方に開口した横長の箱型容器であり、その長手方向の一端側に、島設備の球循環装置（図示せず）から供給される遊技球が逐次補給される。遊技球タンク５１０における遊技球の供給される側と異なる長手方向の一端側には開口（図示せず）が形成されている。遊技球タンク５１０の底面は長手方向に緩やかに傾斜し、遊技球タンク５１０に供給された遊技球は開口側に自重によって移動する。また、遊技球タンク５１０の底面は、長手方向に比して、長手方向と直交する方向（前後方向）にも傾斜し、開口が設けられる側（例えば、前側）に優位に遊技球を誘導する。また、遊技球タンク５１０の底面には、その上に重なるようにして金属製の帯電防止板（図示せず）が取着され、帯電防止板が接地電位に接続されて遊技球タンク５１０内及びその下流側の遊技球の静電気が除去される。
【０１０１】
タンクレール５２０は、遊技球タンク５１０の開口が形成される側に取り付けられ、遊技球タンク５１０の開口を通して遊技球が流入する。タンクレール５２０は、遊技球が１列に並んで通過する幅を有する略樋状の遊技球の通路を形成する通路形成部材５２１と、通路形成部材５２１により形成される通路の上面として次第に高さが低くなる天面部を有してその通路を流下する遊技球を上下に重なった高さから次第に１段の高さに整流する整流部材５２２とを備えている。タンクレール５２０により形成される通路は、下流側に向けて緩やかに傾斜しており、遊技球タンク５１０とは反対側へ遊技球を誘導する。
【０１０２】
ケースレール５３０は、タンクレール５２０の下側に連続するように縦長に形成されており、タンクレール５２０からの遊技球が流入する。ケースレール５３０には、遊技球が勢いよく流れないように左右に湾曲しつつ下方に連続している。また、ケースレール５３０における球通路の途中部分には、球切れを検出するための球切れ検出部５３９が設けられている。球切れ検出部５３９には、貯留球スイッチ５９１（図１０参照）が内蔵され、貯留球スイッチ５９１によって、ケースレール５３０又はその上流側で球詰り等が発生してケースレール５３０内に遊技球が正常に補給されていない球切れ状態を検出する。
【０１０３】
払出装置５４０は、遊技球を送り出す送出機構と、送出機構を駆動する駆動手段としての払出モータ５４２（図１０参照）と、払出計数スイッチ５９２（図１０参照）とを備えている。払出制御装置５６０による制御に基づく払出モータ５４２の作動に応じて、球通路に貯留されている遊技球が下流側へ放出される。放出された遊技球の球通路の通過は、払出計数スイッチ５９２に検出され、これにより、払出制御装置５６０（払出制御基板９３０）が遊技球の払い出し数を計数する。
【０１０４】
払出制御装置５６０及び電源・発射制御装置５７０は、図８及び図９に示すように、後ブロック１０４の背面側下部に位置するように基体５０１のベース部５０２における下部背面に重なるようにして取り付けられている。これら払出制御装置５６０及び電源・発射制御装置５７０を含む後ブロック１０４は、機種変更等において遊技盤４００を別の遊技盤に交換した場合にも、継続利用可能とされている。
【０１０５】
払出制御装置５６０は、払出制御基板９３０（図１０参照）と、払出制御基板９３０を収容する基板ケースとを備え、払出制御基板９３０は、主制御基板９２０と同様に、開封の痕跡を残さずに開封できないように封止された基板ケースの内部に収容されている。
【０１０６】
電源・発射制御装置５７０は、電源・発射制御基板９００（図１０参照）と、電源・発射制御基板９００を収容する基板ケースとを備え、電源・発射制御基板９００は、主制御基板９２０と同様に、封止された基板ケースの内部に収容されている。
【０１０７】
＜電気的な構成＞
次に、パチンコ機１００の電気的構成について説明する。図１０は、パチンコ機１００の電気的構成を示すブロック図である。パチンコ機１００は、図１０に示すように、電源・発射制御基板９００、電源監視基板９１０、主制御基板９２０、払出制御基板９３０、副制御基板９４０等の制御回路装置を備えている。なお、図１０において、各種の信号を中継するだけの中継回路装置については省略している。以下に、これらの主要な制御回路装置を個別に詳細に説明する。
【０１０８】
電源・発射制御基板９００は、パチンコ機１００の各部に電源供給路（図中の破線）を介して所定の電圧の電力を供給する電源部９０１と、発射操作装置２５０の操作に応じて発射装置３３０の駆動を制御する発射制御部９０２と、初期化スイッチ９０７からの初期化信号や球溢れスイッチ２４９からの球溢れ信号を中継する信号中継部９０３とを備えている。
【０１０９】
電源部９０１は、外部より供給される外部電力（例えば、交流２４ボルト）を取り込んで内部電力（例えば、直流２４ボルト）に変換すると共に、その内部電力から各種の電力を生成する。電源部９０１により生成される電力は、各種のソレノイドや各種のモータ等の機器を駆動するための駆動用電圧（例えば、直流１２ボルト）の電力、各種のスイッチを駆動したり制御処理を実行したりするための制御用電圧（例えば、直流５ボルト）の電力、主制御基板９２０のＲＡＭの内容を保持させるためのバックアップ用電圧の電力等を含んでいる。
【０１１０】
電源部９０１は、内部電力から生成した各種の電力を、電源監視基板９１０、主制御基板９２０、払出制御基板９３０、副制御基板９４０等に供給する。具体的には、電源監視基板９１０に対しては、内部電力、駆動用電圧、制御用電圧及びバックアップ電圧の電力が供給される。主制御基板９２０に対しては、駆動用電圧、制御用電圧及びバックアップ電圧の電力が供給され、これら電力は、電源監視基板９１０の電源監視部９１１を介して供給される。払出制御基板９３０に対しては、駆動用電圧及び制御用電圧の電力が供給される。副制御基板９４０に対しては、駆動用電圧及び制御用電圧の電力が供給される。発射制御部９０２及び信号中継部９０３に対しては、駆動用電圧及び制御用電圧の電力が供給される。
【０１１１】
電源部９０１には、電源スイッチ９０９が接続されており、電源スイッチ９０９がオフ状態である場合には外部電力の取り込みが停止される。なお、電源スイッチ９０９をオフ状態にしたり、電源スイッチ９０９を介して電源部９０１に接続される電源プラグ（図示せず）を外部電力の供給コンセント（図示せず）から抜脱したりすることによってパチンコ機１００の内部への電力の供給が停止している状態や、外部電力自体の供給が停止している状態を「停電状態」と総称する。
【０１１２】
電源部９０１は、停電状態への移行後においても所定の期間にわたり制御用電圧の電力を正常に出力するように構成されている。これによって、主制御基板９２０は、現在の制御状態に復帰できるように状態を保存して制御を終了させることができる。
【０１１３】
発射制御部９０２は、主制御基板９２０と協同して、発射装置３３０の球送りソレノイド３３２及び発射ソレノイド３３４の駆動を制御する。なお、球送りソレノイド３３２及び発射ソレノイド３３４は、所定条件が整っている場合に作動が許可される。具体的には、遊技者が発射ハンドル２５２（図１参照）に触れていることが接触センサ２５４からの接触センサ信号に基づいて検知されていること、発射を停止させるための発射停止スイッチ２５５が操作されていないことを条件に、発射制御部９０２はオン状態の発射許可信号を主制御基板９２０に出力する。また、発射許可信号と発射異常信号とに基づいて主制御基板９２０は発射ソレノイド制御信号及び球送りソレノイド制御信号を発射制御部９０２に出力する。発射制御部９０２は、オン状態の球送り制御信号に基づいて球送りソレノイド３３２を作動させ、オン状態の発射ソレノイド制御信号の受信と可変抵抗器２５３の抵抗値とに基づいて発射ソレノイド３３４を作動させる。これによって、発射装置３３０から可変抵抗器２５３の抵抗値（発射ハンドル２５２の回転操作量）に応じた強さで遊技球が順次に発射される。
【０１１４】
信号中継部９０３は、初期化スイッチ９０７が押下された場合に、主制御基板９２０へオン状態の初期化信号を出力する。主制御基板９２０においては、オン状態の初期化信号の受信に応じて主制御基板９２０のＲＡＭに保存された保存情報を初期化する。なお、初期化スイッチ９０７は、必ずしも信号中継部９０３を介して主制御基板９２０に信号を出力する構成とする必要はなく、例えば、初期化スイッチ９０７を主制御基板９２０に直接搭載する等して基板ケース３７１内に初期化スイッチ９０７が収容される構成としても良く、これにより信号が伝送される区間を狙った不正な信号入力を抑止することができる。
【０１１５】
また、信号中継部９０３は、球溢れスイッチ２４９が遊技球を検出した場合に、主制御基板９２０へオン状態の球溢れ信号を出力する。主制御基板９２０においては、オン状態の球溢れ信号の検知に基づいて払出制御基板９３０に低速払出信号を出力し、低速払出信号を受信した払出制御基板９３０は、払出モータ５４２の回転速度（払出装置５４０からの遊技球の払出速度）を低速化させる。また、主制御基板９２０は、オフ状態の球溢れ信号の検知に基づいて払出制御基板９３０に高速払出信号を出力し、高速払出信号を受信した払出制御基板９３０は、払出モータ５４２の回転速度を高速化させる。
【０１１６】
電源監視基板９１０は、電源・発射制御基板９００からの電力供給状態を監視する電源監視部９１１と、電源・発射制御基板９００と主制御基板９２０との間の電力供給及び各種の信号の伝達を中継する信号中継部９１２とを含んでいる。電源監視部９１１は、停電状態への移行に応じて主制御基板９２０へ停電信号を出力するものでもあり、電源部９０１から出力される最大電圧である直流安定２４ボルトの電圧を監視し、この電圧が２２ボルト未満である状態が所定の時間だけ継続した場合に停電状態であると判断して、オン状態の停電信号を主制御基板９２０へ出力する。主制御基板９２０は、オン状態の停電信号の受信によって停電状態への移行を認識する。
【０１１７】
主制御基板９２０は、パチンコ機１００の動作を統括的に制御する。主制御基板９２０には、１チップマイコンとしてのＭＰＵ（図示せず）が搭載されている。ＭＰＵは、演算処理装置としてのＣＰＵ（図示せず）と、ＣＰＵにより実行される各種の制御プログラムや固定データを記憶したＲＯＭ（図示せず）と、制御プログラムの実行に際して一時的に各種のデータ等を記憶するＲＡＭ（図示せず）とを含んでいる。主制御基板９２０には、その他、タイマ回路（図示せず）、カウンタ回路（図示せず）、クロック発生回路（図示せず）、信号送受信回路（図示せず）等の各種回路が搭載されている。主制御基板９２０のＲＡＭは、停電状態への移行後においても電源・発射制御基板９００からのバックアップ電圧の電力供給によって内部データを維持（バックアップ）できる構成となっている。
【０１１８】
払出制御基板９３０は、主制御基板９２０からの指示に応じた払出装置５４０による遊技球の払い出し動作や遊技球貸出装置２９０の操作に応じた払出装置５４０による遊技球の貸し出し動作を制御する。払出制御基板９３０は、主制御基板９２０と同様に、ＣＰＵ（図示せず）、ＲＯＭ（図示せず）及びＲＡＭ（図示せず）を含む１チップマイコンとしてのＭＰＵ（図示せず）、タイマ回路（図示せず）、カウンタ回路（図示せず）、クロック発生回路（図示せず）、信号送受信回路（図示せず）等の各種回路が搭載されている。払出制御基板９３０は、他の装置と情報通信可能に接続する接続手段としての入出力ポートが搭載されており、例えば、主制御基板９２０及び中継装置９５０とは双方向の情報入出力通信が可能に接続され、開閉検出スイッチ１０８，１０９、貯留球スイッチ５９１、及び、払出計数スイッチ５９２とは、一方向のみの情報入力通信のみが可能に接続され、払出モータ５４２とは、一方向のみの情報出力通信のみが可能に接続されている。なお、払出制御基板９３０のＲＡＭは、主制御基板９２０のＲＡＭと同様に、停電状態において一定の期間にわたって内部データを維持可能とするバックアップ機能を有する構成としても良いし、主制御基板９２０のＲＡＭとは異なり、停電状態において内部データを維持しない構成としても良い。
【０１１９】
副制御基板９４０は、主制御基板９２０からの指示に基づいて、各種の演出装置や各種の発光装置や各種の音響装置等の動作を制御する。副制御基板９４０は、他の装置と情報通信可能に接続する接続手段としての入出力ポートが搭載されており、例えば、主制御基板９２０とは一方向のみの情報入力通信のみが可能に接続され、入力操作装置２６０とは双方向に情報通信可能に接続され、装飾図柄表示装置４７９等とは一方向の情報出力通信のみが可能に接続されている。
【０１２０】
＜各種の制御処理＞
次に、主制御基板９２０によって実行される各種の制御処理について説明する。主制御基板９２０における制御処理は、大別すると、停電状態からの復帰に伴い起動されるメイン処理と、定期的に（本形態では２ｍｓ（ミリ秒）周期で）メイン処理に割込みをかけて実行されるタイマ割込み処理とで構成されている。
【０１２１】
まず、図１１を参照して、主制御基板９２０によって実行されるメイン処理について説明する。図１１は、主制御基板９２０のメイン処理（図１１においては「主制御メイン処理」と略記）を示すフローチャートである。
【０１２２】
主制御基板９２０のメイン処理において、まず、主制御基板９２０の立ち上げや各種の情報を初期設定するための一連の制御開始処理（プログラム開始処理Ｓ１００１〜乱数初期設定処理Ｓ１０１９）が一度だけ実行され、その後は、割込みを禁止する割込み禁止処理Ｓ１０２０と、特別図柄に係る当選乱数初期値カウンタ（ＲＡＭの一部の領域）及び大当り図柄乱数初期値カウンタ（ＲＡＭの一部の領域）並びに普通図柄に係る当選乱数初期値カウンタ（ＲＡＭの一部の領域）の値を更新する乱数初期値更新処理Ｓ１０２１と、変動時間や変動パターン等を決定するための第１の変動種別カウンタ〜第４の変動種別カウンタ（ＲＡＭの一部の領域）の値を更新する変動用カウンタ更新処理Ｓ１０２２と、割込みを許可する割込み許可処理Ｓ１０２３とが繰り返し実行される。なお、割込み許可処理Ｓ１０２３の前にタイマ割込みの要求が発生した場合には、割込み許可処理Ｓ１０２３の直後にタイマ割込み処理が実行される。
【０１２３】
一連の制御開始処理において、プログラムの実行を制御するスタックポインタ（ＲＡＭの一部の領域）に初期値を設定するプログラム開始処理Ｓ１００１と、割込みモードを設定する割込みモード設定処理Ｓ１００２と、払出制御基板９３０及び副制御基板９４０等が立ち上がるまで所定の時間だけ待機する立上待機処理Ｓ１００３とが実行される。
【０１２４】
立上待機処理Ｓ１００３の後に、電源・発射制御基板９００の初期化スイッチ９０７からの初期化信号の出力状態の判定処理Ｓ１００４、停電情報（ＲＡＭの一部の領域）の値の判定処理Ｓ１００５、保存情報の記憶状態の判定処理Ｓ１００７が行われ、これらの判定結果に基づいてＲＡＭの保存情報を消去するか否かが判定される。ここで、保存情報とは、停電前の遊技の状態に復帰させるために必要な情報であって、停電前に遊技の進行に応じて更新されていたＲＡＭの一部の領域に対応し、実行中の単位遊技に関するカウンタの値や、始動入賞によって格納されたカウンタの値等が例示される。
【０１２５】
保存情報の記憶状態は、次のように判定される。まず、ＲＡＭの所定の範囲の記憶領域に対するチェックサム値を算出して（チェックサム算出処理Ｓ１００６）、その現在のチェックサム値と前回の停電状態への移行に伴い停電監視処理Ｓ１２０２（図１２参照）において算出されたチェックサム値の２の補数であるＲＡＭ判定値との排他的論理和が「０」であるか否か（判定処理Ｓ１００７）が判定され、これにより、現在のチェックサム値と停電状態への移行時のチェックサム値とが同一であるか否かが判定される。
【０１２６】
初期化信号がオン状態である場合（Ｓ１００４：Ｙ）、停電情報が停電状態への移行時に保存情報を保存して終了したことを示す所定の停電値でない場合（Ｓ１００５：Ｎ）、又は、保存情報が正常に保持されていない場合（Ｓ１００７：Ｎ）には、ＲＡＭの保存情報を消去するＲＡＭクリア処理Ｓ１００８が実行される。保存情報が正常に保持されていると判断された後（Ｓ１００７：Ｙ）、又は、ＲＡＭクリア処理Ｓ１００８が実行された後には、主制御基板９２０に接続されている各種の装置を初期化するハードウェア初期化処理Ｓ１００９が実行される。
【０１２７】
ハードウェア初期化処理Ｓ１００９の後には、停電情報が停電値であるか否かの判定処理Ｓ１０１０が実行される。停電情報が停電値である場合（Ｓ１０１０：Ｎ）には、保持情報の復帰を含め各種の情報を初期設定するＲＡＭ復帰設定処理Ｓ１０１１と、その設定完了を示す復帰コマンドが設定される（復帰コマンド出力処理Ｓ１０１２）。ＲＡＭ復帰設定処理Ｓ１０１１における保持情報の復帰によって、前回の停電状態への移行直前の制御状態に主制御基板９２０の制御状態が復帰する。
【０１２８】
一方、停電情報が停電値でない場合（Ｓ１０１０：Ｙ）には、保持情報の復帰は行わずに各種の情報が初期設定され（ＲＡＭ初期設定処理Ｓ１０１３）、その設定完了を示す初期化コマンドが出力される（初期化コマンド出力処理Ｓ１０１４）。
【０１２９】
なお、ＲＡＭ復帰設定処理Ｓ１０１１及びＲＡＭ初期設定処理Ｓ１０１３において、停電情報は停電値と異なる所定の通電値に設定され、また、前回の停電状態への移行直前において不正検知エラー等の各種のエラー状態が発生していてもそれらのエラー状態は全て解除される。また、主制御基板９２０から払出制御基板９３０及び副制御基板９４０の双方に復帰コマンドか初期化コマンドのいずれかが出力され、復帰コマンド又は初期化コマンドを受信した払出制御基板９３０及び副制御基板９４０の各々においても所定の初期化処理が実行される。
【０１３０】
立上時の状況に応じたＲＡＭの初期設定（判定処理Ｓ１００４〜初期化コマンド出力処理Ｓ１０１４）の後に、前回の停電状態への移行時に条件装置が作動していた場合には、特別遊技状態に復帰させるための準備が行われる（特別遊技状態復帰準備処理Ｓ１０１５）。具体的には、特別遊技状態復帰準備処理Ｓ１０１５においては、条件装置と役物連続作動装置の作動状態が判定され、停電状態時における遊技の状況に対応した処理が、副制御基板９４０において実行される。
【０１３１】
特別遊技状態復帰準備処理Ｓ１０１５の後には、時短状態フラグが設定されているか否かを判定することにより時短状態であるか非時短状態であるかが判定され（判定処理Ｓ１０１６）、時短状態である場合（Ｓ１０１６：Ｙ）には、時短コマンドが出力される（時短コマンド出力処理Ｓ１０１７）。一方、非時短状態である場合（Ｓ１０１６：Ｎ）には、非時短コマンドが出力される（非時短コマンド出力処理Ｓ１０１８）。その後、特別図柄に係る当選乱数カウンタ（ＲＡＭの一部の領域）の値が初期化される（乱数初期設定処理Ｓ１０１９）。
【０１３２】
次に、図１２を参照して、主制御基板９２０によって実行されるタイマ割込み処理について説明する。図１２は、主制御基板９２０によって実行されるタイマ割込み処理（図中では「主制御割込み処理」と略記）を示したフローチャートである。
【０１３３】
主制御基板９２０のタイマ割込み処理では、まず、タイマ割込みを開始させるための割込み開始処理Ｓ１２０１が実行される。具体的には、割込み制御レジスタに所定の値が設定される。これにより、本タイマ割込み以外の割込みが禁止される。その後に、パチンコ機１００の遊技の進行制御や各種センサの監視等といった実質的な制御に係る停電監視処理Ｓ１２０２〜外部情報出力処理Ｓ１２２１が順次に実行される。但し、各種の不正の検知に基づいて遊技進行が停止されている場合（Ｓ１２０７：Ｙ）には、制御信号出力処理Ｓ１２０８〜外部情報出力処理Ｓ１２２１は実行されない。最後に、次回のタイマ割込みを許可する割込み許可処理Ｓ１２２２が実行されて、今回のタイマ割込み処理が終了する。以下において、各種の主要な処理について個別に説明する。
【０１３４】
停電監視処理Ｓ１２０２においては、電源監視基板９１０の電源監視部９１１から出力されている停電信号の出力状態に基づいて停電情報（ＲＡＭの一部の領域）の値が更新される。具体的には停電信号の出力状態が３度に亘り確認され、３度ともオン状態が検出された場合に停電状態であると判定される。この判定において停電状態であると判定されなかった場合には、停電情報は通電値に維持される。
【０１３５】
一方、停電監視処理Ｓ１２０２において停電状態であると判定された場合には、以下の処理が実行される。まず、停電情報の値がＲＡＭ復帰設定処理Ｓ１０１１又はＲＡＭ初期設定処理Ｓ１０１３（図１１参照）において設定された通電値から所定の停電値に変更される。また、ＲＡＭの所定の範囲の記憶領域に対するチェックサム値を算出し、そのチェックサム値の２の補数をＲＡＭ判定値として設定する。これにより、パチンコ機１００は、遊技の進行や各種センサの監視等といった実質的な制御を行わない無限ループに入り、ＲＡＭ判定値が設定された後のＲＡＭの状態がバックアップ電力に基づいて保持される。なお、停電信号の出力状態が３度に亘り確認されるために、停電信号の受信を初めて検知してから、タイマ割込みの各処理は２回に亘り実行される。
【０１３６】
乱数更新処理Ｓ１２０３においては、特別図柄に係る当選乱数カウンタ、大当り図柄乱数カウンタ、停止パターン選択カウンタ及び普通図柄に係る当選乱数カウンタが更新される。具体的には、特別図柄に係る当選乱数カウンタの値が、規定最大値（例えば、「５７６」）と異なる値である場合には、現在値より「１」だけ大きい値に変更され、特別図柄に係る当選乱数カウンタの値が規定最大値である場合には、規定最小値（「０」）に変更される。但し、変更後の値が特別図柄に係る当選乱数カウンタに対する循環初期値と同一の値となる場合には、特別図柄に係る当選乱数カウンタの値が、特別図柄に係る当選乱数初期値カウンタと同一の値に設定され、また、循環初期値も当選乱数初期値カウンタと同一の値に設定される。
【０１３７】
大当り図柄乱数カウンタ、停止パターン選択カウンタ及び普通図柄に係る当選乱数カウンタについても、特別図柄に係る当選乱数カウンタの場合と同様にして更新される。ただし、各カウンタの規定最大値と規定最小値とにより定められる更新範囲としては各カウンタに固有の値が設定され、複数のカウンタが非同期で更新される構成とされ、各カウンタの循環初期値には各カウンタに固有の初期値カウンタが参照される。例えば、特別図柄に係る当選乱数カウンタと特別図柄に係る当選乱数初期値カウンタとは値の範囲が同一であり、大当り図柄乱数カウンタと大当り図柄乱数初期値カウンタとは値の範囲が同一であり、普通図柄に係る当選乱数カウンタと普通図柄に係る当選乱数初期値カウンタとは値の範囲が同一である。
【０１３８】
乱数初期値更新処理Ｓ１２０４においては、特別図柄に係る当選乱数初期値カウンタ、大当り図柄乱数初期値カウンタ及び普通図柄に係る当選乱数初期値カウンタが更新される。具体的には、特別図柄に係る当選乱数初期値カウンタの値が規定最大値（例えば、「５７６」）と異なる値である場合には、現在値より「１」だけ大きい値に変更され、特別図柄に係る当選乱数初期値カウンタの値が規定最大値である場合には、規定最小値（「０」）に変更される。特別図柄に係る図柄乱数初期値カウンタ及び普通図柄に係る当選乱数初期値カウンタについても、規定最大値や規定最小値がそれらのカウンタに固有の値であること以外は、特別図柄に係る当選乱数初期値カウンタの場合と同様にして更新される。
【０１３９】
変動用カウンタ更新処理Ｓ１２０５においては、変動時間や変動パターン等を決定するための第１の変動種別カウンタ〜第４の変動種別カウンタの値が更新される。具体的には、第１の変動種別カウンタの値が規定最大値（例えば、「１８７」）と異なる値である場合には、現在値より「１」だけ大きい値に変更され、第１の変動種別カウンタの値が規定最大値である場合には、規定最小値（「０」）に変更される。第２の変動種別カウンタ〜第４の変動種別カウンタについても、規定最大値や規定最小値がそれらのカウンタに固有の値であること以外は、第１の変動種別カウンタの場合と同様にして更新される。
【０１４０】
なお、特別図柄及び普通図柄に係る各当選乱数カウンタ、大当り図柄乱数カウンタ、停止パターン選択カウンタ並びに各変動種別カウンタは、必ずしも上記構成とする必要はなく、上記カウンタの少なくとも一部を他の構成としても良く、例えば、初期値カウンタを利用しないで一定の初期値から更新する構成としても良いし、プログラムを利用しないで乱数生成用ＩＣにより構成して必要に応じて値を参照する構成としても良い。
【０１４１】
遊技停止判定処理Ｓ１２０６においては、不正検知情報が不正検知値である場合には、遊技停止値に更新されると共に、遊技進行を停止させるための各種の情報が設定される。一方、不正検知情報が不正検知値でない場合や既に遊技停止値である場合には、遊技進行を停止させるための各処理は実行されずに遊技停止判定処理Ｓ１２０６は終了する。なお、不正検知情報は、不正検知処理Ｓ１２１１において各種の不正の発生が検知された場合に不正検知値に設定される。また、判定処理Ｓ１２０７においては、不正検知情報が遊技停止値であるか否かによって遊技停止中であるか否かが判定される。
【０１４２】
制御信号出力処理Ｓ１２０８においては、出力バッファに格納された制御データに基づいて、第１の特別図柄に係る特別図柄表示装置４７１、第２の特別図柄に係る特別図柄表示装置４７２及び普通図柄に係る普通図柄表示装置４７３等の各種の報知装置を制御する信号が出力される。また、出力バッファに格納された制御データに基づいて、球送りソレノイド３３２、発射ソレノイド３３４、右進入規制ソレノイド４６２、下進入規制ソレノイド４６３、上進入規制ソレノイド４６４、切換ソレノイド４６５等の各種のアクチュエータを制御する信号が出力される。
【０１４３】
スイッチ読込処理Ｓ１２０９においては、中始動入賞スイッチ４４１Ａ，４４１Ｂ、右始動入賞スイッチ４４２、下大入賞スイッチ４４３、上大入賞スイッチ４４４、役連作動スイッチ４４５、始動スイッチ４４６、非特定通路スイッチ４４７、特定通路スイッチ４４８、及び、一般入賞スイッチ４４９Ａ，４４９Ｂの各々からの信号状態が読み込まれて、各種のスイッチによる遊技球の検出状態の変化が検知される。
【０１４４】
具体的には、スイッチ読込処理Ｓ１２０９において、各種のスイッチからの信号状態が所定の時間間隔を隔てて２度に亘り入力バッファ（ＲＡＭの一部の領域）に読み込まれ、各種のスイッチからの信号ごとに、１回目に読み込まれた信号状態（以下において「第１の信号状態」と略記する）と、２回目に読み込まれた信号状態（以下において「第２の信号状態」と略記する）と、前回のタイマ割込みで検知された検出状態（以下において「前回の検出状態」と略記する）とに基づいて、各種のスイッチの検出状態の変化が検知される。そして、各スイッチに対して、前回の検出状態がオフ状態である場合において、第１の信号状態がオン状態であり、第２の信号状態がオン状態である場合には、オン状態移行と判断されて、スイッチの種類に応じた検出フラグ（ＲＡＭの一部の領域）が設定される。なお、停電監視処理Ｓ１２０２で説明したように、電源供給が停止したとしても、タイマ割込みの各処理が２回に亘り実行されるために、電源供給が停止した直後に各種のスイッチのオン状態が開始された場合であっても各種のスイッチの検出フラグを正確に設定することができる。
【０１４５】
タイマ更新処理Ｓ１２１０においては、特別図柄及び普通図柄の変動表示、各遊技状態の制御、及び、不正監視等に使用される各種のタイマ（ＲＡＭの所定の領域）が更新される。
【０１４６】
不正検知処理Ｓ１２１１においては、各種の入賞装置に強制的に遊技球を進入させたり、各種の入賞装置を強制的に作動させたりするような不正行為が検知される。具体的には、右始動入賞装置４３２、下大入賞装置４３３及び上大入賞装置４３４の強制的な進入許容姿勢への移動、加振による下大入賞装置４３３の特定通路への遊技球の誘導、電波による右始動入賞装置４３２、下大入賞装置４３３及び上大入賞装置４３４の強制的な誤作動の誘発、磁気吸着による各種の入賞装置への遊技球の誘導、上側中始動入賞装置４３１Ａ、下側中始動入賞装置４３１Ｂ、右始動入賞装置４３２、下大入賞装置４３３及び上大入賞装置４３４への異常なタイミングでの遊技球の誘導等の不正行為が行われた可能性の高い状況の発生を検知する。
【０１４７】
入賞検知応答処理Ｓ１２１２においては、遊技盤４００に設けられた各種のスイッチによる遊技球の検出に基づく制御が実行される。具体的には、上側中始動入賞スイッチ４４１Ａ（図１０参照）及び下側中始動入賞スイッチ４４１Ｂ（図１０参照）による遊技球の検出に基づいて、中始動入賞スイッチ検出フラグが設定されている場合には、中始動入賞カウンタ（ＲＡＭの所定の領域）及び第１払出カウンタ（ＲＡＭの所定の領域）が更新される。また、右始動入賞スイッチ４４２（図１０参照）による遊技球の検出に基づいて右始動入賞スイッチ検出フラグが設定されている場合には、第１払出カウンタが更新される。また、下大入賞スイッチ４４３（図１０参照）による遊技球の検出に基づいて下大入賞スイッチ検出フラグが設定されている場合や、上大入賞スイッチ４４４（図１０参照）による遊技球の検出に基づいて上大入賞スイッチ検出フラグが設定されている場合には、大入賞カウンタ（ＲＡＭの所定の領域）及び第２払出カウンタ（ＲＡＭの所定の領域）が更新される。
【０１４８】
発射制御処理Ｓ１２１３においては、発射装置３３０による遊技球の発射を制御するための発射関連情報が更新される。具体的には、球送り機構３３１を駆動する球送りソレノイド３３２の作動フラグ及び発射機構３３３を駆動する発射ソレノイド３３４の作動フラグが更新される。
【０１４９】
入力信号監視処理Ｓ１２１４においては、払出制御基板９３０を介した開閉検出スイッチ１０８（図１０参照）からの信号の出力状態に基づいて、外枠１０１（図１及び図２参照）に対して中間ブロック１０３（図１及び図２参照）が閉鎖されているか否かが検知される。また、払出制御基板９３０（図１０参照）を介した開閉検出スイッチ１０９からの信号の出力状態に基づいて、中間ブロック１０３（図２及び図３参照）に対して前ブロック１０２（図２及び図３参照）が閉鎖されているか否かが検知される。
【０１５０】
払出状態監視処理Ｓ１２１５においては、払出制御基板９３０から出力される払出制御状態を示す情報が監視され、必要に応じて、払出制御状態に応じた各種の払出状態コマンドが設定される。なお、払出状態コマンドを受信した副制御基板９４０は、払出状態コマンドの種類に応じた報知を装飾図柄表示装置４７９、左上音響装置２８１及び右上音響装置２８２等に実行させる。
【０１５１】
払出信号出力処理Ｓ１２１６においては、必要に応じて、第１払出カウンタ及び第２払出カウンタの値に基づいて各種の賞球コマンドを設定し、払出制御基板９３０に出力する。なお、第１払出カウンタ及び第２払出カウンタは、賞球コマンドの設定に応じて更新される。例えば、第１払出カウンタは、１回の入賞に相当する遊技球が検出される毎に１ずつ加算され、その入賞に基づく賞球コマンドが設定される毎に１ずつ減算される。払出制御基板９３０では、その入賞に対応する数（例えば、３個）の遊技球を払い出す制御を実行する毎に（詳細には、払い出しが完了する少し前に）、主制御基板９２０に賞球コマンドを要求し、賞球の払い出しが継続している状況においては、主制御基板９２０から更なる賞球コマンドが出力される。第２払出カウンタは、第１払出カウンタとは賞球数が異なる入賞（例えば、１３個）に対応して更新されるカウンタであり、第２払出カウンタの値に基づく賞球コマンドを払出制御基板９３０が受信した場合には、払出制御基板９３０は、その賞球コマンドに対応した数分の遊技球を払い出す制御を実行する。
【０１５２】
特別図柄関連処理Ｓ１２１７においては、第１特別図柄に係る単位遊技の権利の保留制御及び第１特別図柄に係る単位遊技の制御が実行される。具体的には、第１特別図柄に係る単位遊技の権利の保留制御において、第１特別図柄に係る特別図柄保留表示装置４７６の動作制御が実行される。また、第１特別図柄に係る単位遊技の制御において、第１特別図柄に係る特別図柄表示装置４７１の動作制御が実行され、第１特別図柄抽選において大当りに当選した場合には、下大入賞装置４３３及び上大入賞装置４３４の動作制御が更に実行される。
【０１５３】
また、特別図柄関連処理Ｓ１２１７においては、第２特別図柄に係る単位遊技の権利の保留制御及び第２特別図柄に係る単位遊技の制御が実行される。具体的には、第２特別図柄に係る単位遊技の権利の保留制御において、第２特別図柄に係る特別図柄保留表示装置４７７の動作制御が実行される。また、第２特別図柄に係る単位遊技の制御において、第２特別図柄に係る特別図柄表示装置４７２の動作制御が実行され、第２特別図柄抽選において大当りに当選した場合には、下大入賞装置４３３及び上大入賞装置４３４の動作制御が更に実行される。
【０１５４】
普通図柄関連処理Ｓ１２１８においては、普通図柄に係る単位遊技の権利の保留制御並びに普通図柄に係る単位遊技の制御が実行される。具体的には、普通図柄に係る単位遊技の権利の保留制御において、普通図柄保留表示装置４７８の動作制御が実行される。また、普通図柄に係る単位遊技の制御において、普通図柄に係る普通図柄表示装置４７３の動作制御が実行され、普通図柄抽選に当選した場合には更に右始動入賞装置４３２の動作制御が実行される。
【０１５５】
表示制御処理Ｓ１２１９においては、特別図柄関連処理Ｓ１２１７における第１特別図柄に係る特別図柄表示装置４７１、第２特別図柄に係る特別図柄表示装置４７２、第１特別図柄に係る特別図柄保留表示装置４７６及び第２特別図柄に係る特別図柄保留表示装置４７７等の動作を制御するために更新される各種の情報に基づいて、それらの装置を具体的に作動させるための出力データが合成される。合成された出力データは、次回のタイマ割込みに基づく制御信号出力処理Ｓ１２０８において各装置に出力される。
【０１５６】
モータ制御処理Ｓ１２２０においては、各種のモータの動作制御が実行される。外部情報出力処理Ｓ１２２１においては、パチンコ機１００に電気的に接続されるデータ表示装置（図示せず）や管理装置（図示せず）等の外部装置に出力する出力データが設定される。
【０１５７】
＜遊技球の払出経路の構成（１）＞
次に、図１３以降を参照して、遊技球の払出経路に関する構成について説明する。図１３は、パチンコ機１００及び遊技球管理装置７００を前側（正面）から見た正面図である。パチンコ機１００の隣（左側）には、そのパチンコ機１００で遊技を行う遊技者の所持球を管理する遊技球管理装置７００が設置されている。
【０１５８】
遊技球管理装置７００は、遊技者の所持する所持球数及び所持金額を表示可能な管理情報表示部７０１と、所持球及び所持金額を利用した遊技球の貸し出し操作や価値記憶媒体の取り出し操作等が可能な管理装置操作部７０２と、紙幣を挿入する紙幣挿入部７０３と、情報を記録可能なカードやコインなどの価値記憶媒体を挿入する記憶媒体挿入部７０４と、遊技球管理装置７００に管理される遊技球を前側から投入するための前側球投入部７０５及び前側通路部材７０６と、遊技球管理装置７００に管理される遊技球を後側から投入する後側球投入部７０７とを備えている。
【０１５９】
前側通路部材７０６は、パチンコ機１００から払い出された遊技球を、遊技球管理装置７００へと移送する移送通路としての前側通路を構成する部材である。前側通路部材７０６は、パチンコ機１００に設けられる２つの貯留部２３１，２４１のうち下側の補助貯留部２４１の下に上流側の端部が位置するようにして設置されている。また、前側通路部材７０６は、正面視左側を回動中心にして左手前側に回動可能に取り付けられ、パチンコ機１００の前ブロック１０２や中間ブロック１０３を開閉する際に、前ブロック１０２に押されることで同期して回動する。
【０１６０】
前側通路の上流側部分は、補助貯留部２４１の放出口２４１Ｂ（図１参照）の下側にて上方に開口している。また、前側通路は、遊技球管理装置７００に向かって遊技球が進行するように正面視左側に下り傾斜し、下流側の端部にて、遊技球管理装置７００の前側球投入部７０５に接続されている。補助貯留部２４１に貯留された遊技球は、遊技者によって球抜き操作部材２４２（図１参照）が操作されることで前側通路を経由して遊技球管理装置７００へ移送可能となっている。
【０１６１】
また、パチンコ機１００の背面側には、パチンコ機１００から払い出された遊技球を、遊技球管理装置７００へ移送する移送通路としての後側通路５８０を構成する後側通路部材が設けられている。後側通路５８０へ遊技球を進入可能とするか否かは、遊技場の管理者によってパチンコ機１００の背面側を操作することで選択可能に構成されている。遊技場の管理者は、後側通路５８０を経由して遊技球を遊技球管理装置７００へ移送する機能を有効とするか否かを選択可能となっており、後側通路５８０に関する構成の詳細については、後述する。
【０１６２】
次に、パチンコ機１００から払い出される遊技球の払出経路に関する構成について、図１４等を参照して、更に説明する。図１４は、パチンコ機１００及び遊技球管理装置７００を後側（背面側）から見た背面図であり、遊技球の払出経路に関する主要な構成を模式的に示し、一部の構成を省略している。また、図１４（Ａ）は、補助貯留部２４１と前側通路とを経由させて、パチンコ機１００の前側から遊技球管理装置７００へ遊技球を移送する状態（前側移送状態）を示し、図１４（Ｂ）は、補助貯留部２４１を経由させることなく、パチンコ機１００の後側にて遊技球管理装置７００へ遊技球を移送可能とする状態（後側移送状態）を示している。また、図１４においては、矢印を付した細線によって、遊技球が流下して進行可能な経路の一部および方向を図示している。
【０１６３】
まず、図１４（Ａ）を参照して、前側移送状態における遊技球の払出経路に関する構成について説明する。
【０１６４】
パチンコ機１００には、遊技場の設備から遊技球タンク５１０に遊技球が供給される。遊技球タンク５１０に供給された遊技球は、タンクレール５２０及びケースレール５３０を通って払出装置５４０に進入する。払出装置５４０は、払出制御装置５６０（図１０参照）の制御によって遊技球を１球ずつ下流側に流下させるものであり、例えば、回転動作に応じて遊技球を１球ずつ下流側に進行させる球送り部材（図示せず）を有している。遊技球は、球送り部材が回転動作することによって１球ずつ出力されて下流側に進行し、払出計数スイッチ５９２（図１０参照）を通過してから、誘導部材５５０の球誘導部５５１へと進入する。球誘導部５５１の下流側には、２股に分岐して２つの誘導通路５５２，５５３が、球誘導部５５１の一部として設けられている。
【０１６５】
球誘導部５５１に進入した遊技球は、一方側（背面視左側）の主側誘導通路５５２に優先して進入するように誘導される。主側誘導通路５５２が遊技球で満たされて遊技球が進入不能な満タン状態となった場合には他方側（背面視右側）の誘導通路である補助側誘導通路５５３に遊技球が誘導される。
【０１６６】
主側誘導通路５５２は、パチンコ機１００の背面視左側であって遊技球管理装置７００から離間した側に設けられ、主貯留機構２３０の貯留部２３１へと接続されている。主側誘導通路５５２の下流側には、主貯留機構２３０の流入口２３１Ａが設けられ、主側誘導通路５５２へ進入した遊技球は、主貯留機構２３０の貯留部２３１へ誘導される。
【０１６７】
補助側誘導通路５５３は、パチンコ機１００の背面視右側であって遊技球管理装置７００に近い側に設けられ、補助貯留機構２４０の補助貯留部２４１へと接続されている。補助側誘導通路５５３の下流側には、補助貯留機構２４０の流入口２４１Ａが設けられ、補助側誘導通路５５３へ進入した遊技球は、補助貯留機構２４０の補助貯留部２４１へ誘導される。
【０１６８】
払出装置５４０によって払い出された遊技球は、球誘導部５５１を経由し、２つの誘導通路５５２，５５３のうち、主貯留機構２３０へ接続される主側誘導通路５５２を優先して流下し、主貯留機構２３０の貯留部２３１へ誘導される。主貯留機構２３０へ接続される主側誘導通路５５２が満タン状態になると、補助貯留機構２４０へ接続される補助側誘導通路５５３を遊技球が流下する。補助貯留機構２４０へ接続される補助側誘導通路５５３に予め定めた上限の高さ位置に達するまで遊技球が貯留された満タン状態になると、遊技球の払い出しが一時停止され、満タン状態が解除されると、再び払い出しが再開される。
【０１６９】
図１５は、前側移送状態としての進入切替部材５８１が進入阻止姿勢をとった状態における補助側誘導通路５５３と後側通路５８０との分岐部分の周辺を模式的に示した略線図である。図１５においては、矢印を付した細線によって、遊技球が流下して進行可能な経路の一部および方向を図示している。
【０１７０】
後側通路５８０は、補助側誘導通路５５３からの分岐部分から水平方向よりわずかに下降傾斜して連続するように設けられ、その下流側部分がパチンコ機１００の背面視右側（正面側から見て左側）の遊技球管理装置７００の背面側に重なる位置まで連続している。後側通路５８０における下流側端部の出口５８０Ｂは、遊技球管理装置７００の後側球投入部７０７に接続され、後側通路５８０を経由した遊技球が遊技球管理装置７００へ背面側から進入可能となっている。後側通路５８０における入口５８０Ａの近くには、進入切替部材５８１が設けられている。
【０１７１】
進入切替部材５８１は、補助側誘導通路５５３と後側通路５８０との分岐部分に設けられている。後側通路５８０は、その上流側端部が補助側誘導通路５５３の途中部分に接続され、前側移送状態に対応して進入阻止姿勢をとった進入切替部材５８１は、補助側誘導通路５５３から後側通路５８０へ続く入口を閉鎖し、遊技球が後側通路５８０へ進入し得ない状態する。これにより、前側移送状態では、補助側誘導通路５５３を通過する遊技球は、後側通路５８０へ進入し得ず、分岐部分に到達した遊技球は、補助貯留機構２４０へ接続される補助側誘導通路５５３に沿って流下し、補助貯留機構２４０の貯留部２４１へ誘導される。
【０１７２】
ここで、後側通路５８０を形成する後側通路部材は、外枠１０１の背面側部分に設けられる軸５８０Ｃによって回動可能に支持され、後側通路部材が外枠１０１に支持されて一体化されている。軸５８０Ｃによって後側通路部材を縦長となるように回動すると（図１５に鎖線で示す外形線５８０Ｘの状態）、後側通路部材は、パチンコ機１００の背面視で外枠１０１の矩形状の外形内に収まる収納状態となるように構成されている。これにより、パチンコ機１００を遊技場に設置するときに、後側通路部材が周辺部分に接触することによって破損する不具合を防止している。
【０１７３】
ここで、後側通路５８０を形成する後側通路部材の一部を伸縮可能な構成とし、補助側誘導通路５５３に後側通路５８０の入口５８０Ａが連続可能となる設置状態において、誘導部材５５０を含む後ブロック１０４が外枠１０１に対して回動しても、後側通路５８０と補助側誘導通路５５３とが連続した状態を維持するように構成することが好ましい。または、設置状態にて後ブロック１０４が外枠１０１に対して回動した場合に、その回動動作に連動して進入切替部材５８１が後側通路５８０の入口５８０Ａを閉鎖する構成とし、さらに、補助側誘導通路５５３において後側通路５８０へ連続する通路を閉鎖する別の蓋部材を設けて、後側通路５８０の入口５８０Ａと補助側誘導通路５５３における後側通路５８０への出口部分とが別々に閉鎖する構成としてもよい。
【０１７４】
補助側誘導通路５５３の上流部であって、後側通路５８０への分岐部分より上流側には、遊技球によって押下されることで遊技球の存在を検知可能な球検知部材５５９が設けられている。球検知部材５５９は、補助側誘導通路５５３に対して予め定めた上限の高さ位置に達するまで遊技球が満たされた満タン状態を検出するための部材であり、球検知部材５５９の状態が球溢れスイッチ２４９（図１０参照）によって検出されて補助貯留部２４１を下流端とする下側の貯留部の上限まで遊技球が貯留されているか否かが検出可能となっている。
【０１７５】
図１６は、進入阻止姿勢をとった進入切替部材５８１を、補助側誘導通路５５３と後側通路５８０と共に模式的に示した図であり、図１７は、進入阻止姿勢をとった進入切替部材５８１をパチンコ機１００の背面側及び左側から視認した状態を示した図である。
【０１７６】
進入切替部材５８１は、進入阻止部５８２と、該進入阻止部５８２の下側に設けられて進入阻止部５８２を回動可能とする回動軸部５８３と、遊技場の管理者が操作可能な操作部としての切替操作部５８４とを有している。進入切替部材５８１の回動軸部５８３は、後側通路部材に回動可能に支持され、進入阻止部５８２は、回動軸部５８３によって回動可能（変位動作可能）に構成され、配置位置が変更されることにより、後側通路５８０に対する遊技球の進入を阻止する進入阻止姿勢と、後側通路５８０に対する遊技球の進入を許容する進入許容姿勢とをとる。
【０１７７】
回動軸部５８３は、進入切替部材５８１を回動可能とするための機構の一部を構成する部位である。回動軸部５８３は、切替操作部５８４に接続されており、切替操作部５８４の回転操作に応じて進入阻止部５８２を鉛直方向又は水平方向に略平行な位置に回転させて変位させることができる。
【０１７８】
進入切替部材５８１は、鉛直方向に位置させることで進入阻止姿勢をとり、略平行に位置させることで進入許容姿勢をとる。進入切替部材５８１の姿勢変化は、切替操作部５８４の操作によって進入阻止部５８２を回転動作させることで実施可能とされている。進入切替部材５８１には、進入阻止部５８２を鉛直方向及び水平方向に略平行な位置に操作した場合に進入阻止部５８２が鉛直方向又は水平方向に略平行な予め定めた位置に保持（維持）する保持機構（図示せず）が設けられている。なお、「略平行」とは、平行から±１０°の範囲内としてもよく、「平行」を含むものとする。
【０１７９】
進入切替部材５８１は、図１６に示すように、進入阻止部５８２を鉛直方向に略平行な方向に配置することにより進入阻止姿勢をとり、主側誘導通路５５２と後側通路５８０との連通部分を遊技球が通過不能に遮断し、遊技球の後側通路５８０への進入を阻止する。進入切替部材５８１が進入阻止姿勢のときには、図１４（Ａ）及び図１５に示すように、主側誘導通路５５２が満タン状態となっている状況で払い出された遊技球を、誘導部材５５０が、補助側誘導通路５５３へと進入させて下流側へと進行させ、流入口２４１Ａを通じて補助貯留部２４１へと誘導する。
【０１８０】
次に、図１４（Ｂ）と、図１８から図２０とを参照して、後側移送状態における遊技球の払出経路に関する構成について説明する。
【０１８１】
パチンコ機１００には、補助側誘導通路５５３の途中から、補助貯留機構２４０が設けられる側とは異なる横方向に分岐して後側通路５８０が設けられ、後側通路５８０へ遊技球が進入するか否かが進入切替部材５８１の位置によって制御される。なお、後側通路５８０は、一部の図面において理解の容易のために、通路の外形のみを模式的に示すと共に、背面側から通路の内部が視認可能な状態を模式的に示し、また、図２，図４，図８及び図９においては、後側通路部材及び進入切替部材５８１を省略している。
【０１８２】
図１８は、進入切替部材５８１が進入阻止姿勢をとった状態における補助側誘導通路５５３と後側通路５８０との分岐部分の周辺を模式的に示した略線図である。図１８においては、矢印を付した細線によって、遊技球が流下して進行可能な経路の一部および方向を図示している。図１９は、進入許容姿勢をとった進入切替部材５８１を、補助側誘導通路５５３と後側通路５８０と共に模式的に示した図であり、図２０は、進入許容姿勢をとった進入切替部材５８１をパチンコ機１００の背面側及び左側から視認した状態を示した図である。
【０１８３】
進入切替部材５８１は、図１８から図２０に示すように、後側移送状態に対応して進入許容姿勢をとり、補助側誘導通路５５３と後側通路５８０とが連続するように、進入阻止部５８２を補助側誘導通路５５３が設けられる側（背面視左側）に傾倒した状態となる。進入許容姿勢をとった進入切替部材５８１は、後側通路５８０に対して略平行（水平方向に対して略平行な方向）であって僅かに背面視右側に下り傾斜するように配置され、補助側誘導通路５５３と後側通路５８０との連通部分を遊技球が通過可能に開口して、補助側誘導通路５５３から後側通路５８０への遊技球の進入を許容する。また、進入許容姿勢をとった進入切替部材５８１は、補助側誘導通路５５３の下流側へ連続する通路側の開口を閉塞し、補助側誘導通路５５３を通過してきた遊技球を後側通路５８０へと誘導する。
【０１８４】
図１４（Ｂ）に示すように、進入切替部材５８１が進入許容姿勢のときには、主側誘導通路５５２から遊技球が溢れて補助側誘導通路５５３へ進入した遊技球は、進入切替部材５８１によって後側通路５８０の側へ誘導されて遊技球管理装置７００へ進入する。
【０１８５】
遊技球管理装置７００に進入した遊技球は、遊技球管理装置７００によって管理されることとなり、例えば、遊技球管理装置７００内に設けられた計測カウンタ（図示しない）によって、その進入数がカウントされて遊技者の所持球数に加算される。所持球数の加算は、遊技球管理装置７００内の価値記憶媒体に記憶され、管理情報表示部７０１の表示内容が更新される。また、遊技球管理装置７００内に進行した遊技球は、遊技球管理装置７００の球出口（図示せず）を経由して遊技場側に設けられた遊技球循環装置（図示せず）に排出される。
【０１８６】
ここで、パチンコ機１００ｎには、後側通路５８０への遊技球の進入不能状態を検知する進入不要検知機能が設けられている。遊技球管理装置７００の側に遊技球が進行できない状態となって後側通路５８０が遊技球で満たされた満タン状態となると、遊技球が補助側誘導通路５５３の側まで連続することとなる。補助側誘導通路５５３と後側通路５８０との分岐部分より上流側には球検知部材５５９が設けられており、球検知部材５５９の高さ位置まで遊技球が満たされると球検知部材５５９を通じて後側通路５８０の満タン状態が検知される。これにより、後側通路５８０へ遊技球が進入し得ない状況についてもパチンコ機１００が検出し、後側通路５８０の満タン状態に対応して遊技球の払い出しを停止する等の制御が可能となっている。なお、球検知部材５５９とは別に、後側通路５８０に、満タン状態を検出するための検知部材やセンサを設けて、補助側誘導通路５５３とは別の位置にて満タン状態を検出可能とし、その満タン状態に対応して遊技球の払い出しを停止するなどの制御をパチンコ機１００が実施する構成としてもよい。
【０１８７】
進入切替部材５８１は、パチンコ機１００の背面側に露出し、遊技者は操作不能に構成され、遊技場の管理者によって操作可能とされている。例えば、遊技場の管理者がパチンコ機１００の裏側を直接操作することにより、進入切替部材５８１に対しての直接的な切替作業が実行される。これにより、遊技場に設置された遊技球管理装置７００の仕様に応じてや、パチンコ機１００の機種に応じて、或いは、遊技場の嗜好に応じてなど、遊技場の管理者が必要に応じて進入阻止姿勢及び進入許容姿勢のいずれかを自由に選択して切替を行うことができる。
【０１８８】
このように、パチンコ機１００は、払出装置５４０から払い出された遊技球をパチンコ機１００の前側に貯留する補助貯留部２４１と、補助貯留部２４１に貯留された遊技球をパチンコ機の前側で遊技機外に出す補助貯留部２４１の放出口２４１Ｂと、払出装置５４０と貯留部２４１との間に位置する補助側誘導通路５５３と、補助側誘導通路５５３とは別に設けられて払出装置５４０から払い出された遊技球を補助貯留部２４１の放出口とは異なるパチンコ機１００の背面側にて遊技機外に出す後側通路５８０と、払出装置５４０から払い出された遊技球が後側通路５８０に進入するか否かを切り替えることが可能な進入切替部材５８１とを備えている。このため、補助貯留部２４１の放出口２４１Ｂを利用し、従来と同様に、遊技者自身の管理する球箱や遊技球管理装置７００に、パチンコ機１００の前側を経由して遊技球を移送可能としつつ、更に、後側通路５８０を使って遊技球管理装置７００にパチンコ機１００の背面側を経由して遊技球を移送することが可能となる。
【０１８９】
すなわち、パチンコ機１００の前側の貯留部２３１，２４１を経由させることなく、一部の遊技球を遊技球管理装置７００に移送することができるので、遊技者の所持する遊技球を、遊技者が触れる機会を設けることなく容易に管理することができる。従って、貯留部２３１，２４１から遊技球が溢れてしまったり、球箱に移し替えたりする作業を少なくし、且つ、遊技者から遠い位置を経由して遊技球を遊技球管理装置７００に移送できるため、遊技球の通過する音や遊技球同士の接触音も遊技者に届きにくくすることができ、遊技者の利便性を高めることができる。
【０１９０】
＜遊技球の通過音および接触音の抑制構造＞
次に、図１３を参照して、パチンコ機１００における遊技球の通過音や遊技球同士の接触音を少なくするための構成について更に説明する。パチンコ機１００には、パチンコ機１００の前後方向において、後側通路５８０の前側に重なる位置に音響装置２８３が設けられている。音響装置２８３は、後側通路５８０より前に設けられ、音響装置２８３が設けられることで、後側通路５８０からの遊技球の通過音や接触音が前側に出力され難く、且つ、その音響装置２８３の音は、遊技者に届き易く構成されている。音響装置２８３に対しては、音を出力する音出力部の他に、背面側からの音を検出するマイク等の音検出部を設け、音検出部によって検出された音を打ち消す逆位相の音を音響装置２８３の音出力部から出力するようにしてもよく、例えば、音響装置２８３の音検出部が検出する音を副制御基板９４０が検出し、その逆位相の音についても音響装置２８３の音出力部から出力するようにしてもよい。これにより、一層、遊技球の通過音や接触音を打ち消して、パチンコ機１００の演出として設定された音を遊技者に届き易くすることができる。
【０１９１】
正面視左側に設けられる音響装置２８３に対して、左右対象の反対側にも、音響装置２８３と同様に構成された音響装置２８４が設けられている。音響装置２８４は、パチンコ機１００の右側に配置される隣のパチンコ機１００における後側通路５８０から遊技球管理装置７００に進入するように進行する遊技球の音を遊技者に届き難くするものであり、これによっても、パチンコ機１００の演出として設定された音を遊技者に届き易くすることができる。
【０１９２】
このように、パチンコ機１００には、後側通路５８０の出口と払出装置５４０との間にて遊技球が通過する移送通路としての後側通路５８０が通路形成部材によって形成され、後側通路５８０の一部に対して前側には、パチンコ機１００の演出等の効果音を出力する音響装置２８３が設けられている。このため、遊技球をパチンコ機１００の外に出すまでの過程において後側通路５８０内を通過する遊技球の通過音や接触音より音響装置２８３によって出力される音を優先して遊技者に届かせることができ、パチンコ機１００に設定された演出等の効果音を遊技者が聞き取り易くすることができる。また、音響装置２８１〜２８５は、剛性の高い金属部材や音を響かせるための筐体（エンクロージャー）を含み、これらの部材の一部が後側通路５８０の前に位置することによって後側通路５８０で発生した音が遊技者側に届く強さを低減することができる。
【０１９３】
また、補助貯留機構２４０の補助貯留部２４１から遊技球が下方に排出される放出口２４１Ｂ（図１参照）の前側に重なる位置にも音響装置２８５が設けられている。補助貯留部２４１は、パチンコ機１００の前面側に設けられているので、遊技者から近い位置で遊技球の通過音や接触音が出力され易く、この音が発生し易い位置に対して前側に重なるように音響装置２８５が設けられることで、音響装置２８５からの音についても、遊技者に届き易くすることができる。特に、球抜き操作部材２４２が操作されて遊技球が排出されている状況で効果があり、前側通路部材７０６の前側通路へ遊技球が進入した際の衝突音や、補助貯留部２４１の下に樹脂製の球箱が置かれて遊技球が球箱に進入する音についても、遊技者と衝突部分との間に音響装置２８５が配置されることで遊技者へ遊技球の音を届き難くすることができる。この音響装置２８５についても音検出部を設けて、音検出部によって検出された音を打ち消す逆位相の音を音響装置２８５の音出力部から出力することが好ましい。
【０１９４】
なお、音響装置２８３〜２８５は、必ずしも後側通路５８０や放出口２４１Ｂの前側に重なる位置に設けられる必要はなく、ずれた位置に配置されてもよい。この場合には、後側通路５８０や放出口２４１Ｂに対して、パチンコ機１００の正面視において左右方向及び上下方向における中心に近い側に配置されることが好ましく、これにより、遊技を行う遊技者の顔がパチンコ機１００の正面視において左右方向及び上下方向における中央の近くに配置された状況において音響装置２８３〜２８５が発生した音を遊技者に届き易くすることができて好ましい。
【０１９５】
また、音響装置２８３〜２８５の少なくともいずれかに対して、背面側からの音を検出するマイク等の音検出部は、指向性を有するものであって背面側に位置する後側通路５８０や放出口２４１Ｂの設けられる側の音の方が前側等の他方向よりも入力し易い状態にして設け、音響装置２８３〜２８５の音検出部が検出する後側通路５８０や放出口２４１Ｂ側から発した音に対しての逆位相の音を音響装置２８３〜２８５の音出力部から出力することが好ましい。これにより、一層、遊技球の通過音や接触音等といった効果音以外の音を打ち消して、パチンコ機１００の演出として設定された演出等の効果音を遊技者に届き易くすることができる。
【０１９６】
＜遊技球の払出経路の構成（２）＞
次に、図２１及び図２２を参照して、上記実施形態とは別の構成とした払出経路を備えた例について、上述したパチンコ機１００とは異なる構成の箇所に１０００を加算した符号を附して説明し、同一の構成の箇所には同一符号を附して説明を省略する。図２１は、２台のパチンコ機１１００及び遊技球管理装置７００の配置を前側から見た状態を示す正面図であり、図２２は、それらパチンコ機１１００及び遊技球管理装置７００を後側から見た状態を示す背面図である。ここで、図２１及び図２２においては、理解の容易のために、パチンコ機１１００及び遊技球管理装置７００の主要な構成のみを模式的に示している。
【０１９７】
上述したパチンコ機１００では、遊技球管理装置７００に、パチンコ機１００の前面側を経由することなく、遊技球を移送可能な移送経路を備えた構成について説明したが、本実施形態のパチンコ機１１００では、他のパチンコ機１１００にも遊技球を移送可能な移送経路を備えている。パチンコ機１１００が複数並んで設置された状態では、１のパチンコ機１１００の背面側に設けられる球誘導部５５１と、その隣に設置されるパチンコ機１１００の球誘導部５５１とが、各パチンコ機１１００に設けられる２つの後側通路１５９０Ａ，１５９０Ｂによって、双方向に遊技球を移送可能となるように、互いに接続されている。また、パチンコ機１１００には、遊技球管理装置７００に遊技球を移送可能とする後側通路１５８０が設けられている。
【０１９８】
１つの後側通路１５９０Ａは、他のパチンコ機１１００へ遊技球を移送する通路であり、複数並んだパチンコ機１１００のうち正面視左側（背面視右側）のパチンコ機１１００から正面視右側（背面視左側）のパチンコ機１１００へ遊技球を移送可能とするために設けられている。この後側通路１５９０Ａは、正面視右側（背面視左側）へ向けて下向きにわずかに傾斜していると共に、球誘導部５５１の下流側にて分岐して設けられる主側誘導通路５５２から分岐して設けられ、その分岐部分の近くに進入切替部材１５９１Ａが設けられている。
【０１９９】
もう１つの後側通路１５９０Ｂは、自身のパチンコ機１１００へ遊技球を流入する通路であり、複数並んだパチンコ機１１００のうち正面視右側（背面視左側）のパチンコ機１１００から正面視左側（背面視右側）のパチンコ機１１００へ遊技球を移送可能とするために設けられている。この後側通路１５９０Ｂは、正面視左側（背面視右側）へ向けて下向きにわずかに傾斜していると共に、球誘導部５５１の下流側にて分岐して設けられる主側誘導通路５５２から分岐して設けられ、その分岐部分の近くに進入切替部材１５９１Ｂが設けられている。
【０２００】
図２３及び図２４は、進入切替部材１５９１Ａが進入阻止姿勢と進入阻止姿勢とをそれぞれとった状態における主側誘導通路５５２と後側通路１５９０Ａとの分岐部分の周辺を模式的に示した略線図である。なお、２つの進入切替部材１５９１Ａ，１５９１Ｂは同一の構成とされており、片方の進入切替部材１５９１Ａのみについて説明し、もう一方の進入切替部材１５９１Ｂについては説明を省略する。
【０２０１】
進入切替部材１５９１Ａは、板状の進入阻止部を鉛直方向に対して略平行な方向に配置することにより、主側誘導通路５５２と後側通路１５９０Ａの上流部との連通部分を遊技球が通過不能に遮断した進入阻止姿勢を取り、遊技球の後側通路１５９０Ａへの進入を阻止する。図２３に示すように、進入切替部材１５９１Ａが進入阻止姿勢のときに、貯留部２３１に貯留された遊技球が多くて主側誘導通路５５２に遊技球が上限まで貯留された状態になると、遊技球は、進入切替部材１５９１Ａが設けられる高さ位置より上方側まで貯留される。さらに、主側誘導通路５５２の上端まで遊技球が貯留されると、後続の遊技球が主側誘導通路５５２へ進入できずに補助側誘導通路５５３へと誘導される。すなわち、主側誘導通路５５２から連続する貯留部２３１が満タン状態になると、補助貯留部２４１へ遊技球が供給される。
【０２０２】
一方、図２４に示すように、進入切替部材１５９１Ａは、板状の進入阻止部が後側通路１５９０Ａの位置する方向側（後側）へ傾倒し、後側通路１５９０Ａの設けられる側に対して略平行（水平方向に対して略平行であって僅かに後側へ下り傾斜する方向）に配置されることにより進入許容姿勢をとる。これにより、主側誘導通路５５２と後側通路１５９０Ａとの連通部分は、遊技球が通過可能に開口された状態となり、遊技球の後側通路１５９０Ａへの進入が許容される。このとき、主側誘導通路５５２の上端よりも下側に後側通路１５９０Ａの入口部分が設けられているため、図２４に示すように、主側誘導通路５５２に遊技球が貯留されて後側通路１５９０Ａの入口部分の高さ位置に貯留された遊技球の上端部分が達した状態になると、後続の遊技球は、後側通路１５９０Ａへ進入し、進入切替部材１５９１Ａの進入阻止部の傾斜によって後側へ流下し、後側通路１５９０Ａの出口部を経由して隣のパチンコ機１１００の主側誘導通路５５２へと進入する。
【０２０３】
また、後側通路１５９０Ａの出口部には、進入切替部材１５９２Ａが設けられている。進入切替部材１５９２Ａは、例えば、上記した進入切替部材１５９１Ａと同様に板状の進入阻止部が回動して進入阻止姿勢と進入許容姿勢とをとる構成とされている。進入切替部材１５９２Ａは、パチンコ機１１００に対して隣のパチンコ機１１００への遊技球の進入を許可する許可操作を実行した場合に限って、後側通路１５９０Ａの出口部が隣のパチンコ機１１００の主側誘導通路５５２に設けられる遊技球の入口への遊技球の進入を許容するように、すなわち、遊技球が通過可能に開口される。許可操作が実行されなければ、後側通路１５９０Ａの出口部は、進入切替部材１５９２Ａによって遊技球が通過不能に閉塞される。
【０２０４】
隣のパチンコ機１１００には、進入切替部材１５９２Ａが設けられる位置に、主側誘導通路５５２への遊技球の進入を阻止する進入阻止姿勢と、主側誘導通路５５２への遊技球の進入を許容する進入許容姿勢をとる進入切替部材（図示せず）が設けられ、この進入切替部材が、後側通路１５９０Ａに設けられる進入切替部材１５９２Ａに連動するように設けられている。後側通路１５９０Ａの出口部が主側誘導通路５５２へ接続され、且つ、隣のパチンコ機１１００にて自身のパチンコ機１１００への遊技球の進入を許可する許可操作が実行される条件が成立した場合に限って、進入切替部材が進入許容姿勢をとって主側誘導通路５５２への遊技球の進入を許可し、いずれかの条件が成立していなければ進入切替部材が進入阻止姿勢をとって主側誘導通路５５２への遊技球の進入を阻止する。
【０２０５】
これにより、自身のパチンコ機１１００の主側誘導通路５５２に遊技球が貯留されている状況において、後側通路１５９０Ａの出口部分であって進入切替部材１５９２Ａの設けられる高さ位置に、貯留された遊技球の上流側部分が達した状態になっても、主側誘導通路５５２における後側通路１５９０Ａの出口部分との連通部を通じて遊技球が後側通路１５９０Ａ内に下流側から進入してしまう事態を回避することができる。
【０２０６】
図２１に示すように、パチンコ機１１００の前側には、進入切替部材１５９１Ａ，１５９２Ａ，１５９１Ｂ，１５９２Ｂの姿勢を切替操作するための切替操作部１５８８が設けられている。また、切替操作部１５８８の操作に応じて進入切替部材１５８１Ａ，１５８１Ｂの進入阻止姿勢又は進入許容姿勢を切り替える動力源としてのモータ等を含む連動機構（図示せず）が切替操作部１５８８と電気的に接続されている。例えば、左右２つ並んだ押圧操作が可能なスイッチによって、右隣のパチンコ機１１００へ遊技球を送出するための進入切替部材１５９１Ａ，１５９２Ａを動作させる右側のボタン操作と、左隣のパチンコ機１１００へ遊技球を送出するための進入切替部材１５９１Ｂ，１５９２Ｂを動作させる左側のボタン操作とが実行可能となっている。
【０２０７】
遊技者は、切替操作部１５８８を操作することによって、遊技の状況に応じて遊技球が払い出される先として、左右のパチンコ機１１００を自由に選択することができる。なお、進入切替部材１５８１Ａが進入許容姿勢をとっている状態において、パチンコ機１１００は、切替操作部１５８８を点滅させたり、装飾図柄表示装置４７９の表示画面に、払い出された遊技球が他のパチンコ機１１００に移送可能に設定されていることに対応した移送設定中情報を注意喚起のために表示するなどして、遊技球が他のパチンコ機１１００に供給されていることを知らせる構成を備えることが好ましい。
【０２０８】
パチンコ機１１００には、図２２に示すように、２つの球検知部材１５５９Ａ，１５５９Ｂが設けられている。一方の球検知部材１５５９Ａは、上記した球検知部材５５９と同様、補助側誘導通路５５３の上端部に設けられ、主側誘導通路５５２に遊技球が溢れた後に補助側誘導通路５５３の予め定めた上限まで遊技球が貯留された場合に、球検知部材５５９によって遊技球が補助側誘導通路５５３の上限まで供給されていることが検知される。
【０２０９】
もう一方の球検知部材１５５９Ｂは、主側誘導通路５５２の上端部に設けられ、主側誘導通路５５２の予め定めた上限まで遊技球が貯留された場合には、球検知部材１５５９Ｂによって遊技球が主側誘導通路５５２の上限まで供給されていることが検知される。パチンコ機１１００では、切替操作部１５８８を操作して他のパチンコ機１１００に遊技球を移送可能に設定している状況では、払出制御基板９３０は、２つの球検知部材１５５９Ａ，１５５９Ｂのうち主側誘導通路５５２に設けられる球検知部材１５５９Ｂによって主側誘導通路５５２の上限まで遊技球が貯留されていないことを条件の１つとして遊技球を払い出す制御を行う。そして、球検知部材１５５９Ｂによって主側誘導通路５５２の上限まで遊技球が貯留されていることが検知されると、払出制御基板９３０は払出モータ５４２を制御して遊技球の払い出しを停止する。これにより、主側誘導通路５５２が遊技球で溢れた状況において、遊技球を補助側誘導通路５５３へ進入させずにパチンコ機１１００に貯留させておくことができる。従って、遊技者は、他のパチンコ機１１００へ遊技球を移送したい場合において、補助貯留部２４１に払い出された遊技球を手操作で他のパチンコ機１１００へ移送させる必要性を少なくし、他のパチンコ機１１００に遊技球を移送し易くすることができる。
【０２１０】
また、他のパチンコ機１１００へ遊技球を供給するための後側通路１５９０Ａ，１５９０Ｂは、主側誘導通路５５２から分岐して設けられ、遊技球管理装置７００へ遊技球を移送するための後側通路１５８０は、補助側誘導通路５５３から分岐して設けられている。払い出された遊技球は、補助側誘導通路５５３より主側誘導通路５５２に優先して供給されるので、他のパチンコ機１１００と遊技球管理装置７００との両方へ遊技球を移送する設定をした場合に、他のパチンコ機１１００へ遊技球を優先して移送することができる。従って、他のパチンコ機１１００で遊技球が不足して、遊技者が不利益を被る状況を少なくすることができ、複数のパチンコ機１１００で複数の遊技者が並んで遊技を行う場合により、好適に遊技を進行させることができる。なお、他のパチンコ機１１００と遊技球管理装置７００とのうち、遊技球管理装置７００へ優先して遊技球が供給されるように、例えば、主側誘導通路５５２から分岐する後側通路に遊技球管理装置７００が接続され、補助側誘導通路５５３から分岐して設けられる後側通路に他のパチンコ機１１００が接続されるようにしてもよい。
【０２１１】
ここで、２つの後側通路１５９０Ａ，１５９０Ｂの前側には、図２１に示すように、音響装置２８３，２８４が重なるように設けられ、音響装置２８３，２８４から出力される演出等の効果音が遊技者に届き易くなっている。また、２つの後側通路１５９０Ａ，１５９０Ｂを形成する後側通路部材は、外枠１０１の背面側部分に設けられる軸１５９３Ａ，１５９３Ｂによって回動可能に支持され、外枠１０１と一体化されている。軸１５９３Ａ，１５９３Ｂによって後側通路部材を縦長となるように回動すると、後側通路部材は、パチンコ機１００の背面視で外枠１０１の矩形状の外形内に収まる収納状態となるように構成され、パチンコ機１００を遊技場に設置するときに、後側通路部材が周辺部分に接触して壊れてしまうことがない構成とされている。なお、２つの後側通路１５９０Ａ，１５９０Ｂを形成する後側通路部材の一部を伸縮可能な構成とし、主側誘導通路５５２に後側通路１５９０Ａ，１５９０Ｂが連続可能となる設置状態において、誘導部材５５０を含む後ブロック１０４が外枠１０１に対して回動しても、後側通路１５９０Ａ，１５９０Ｂと主側誘導通路５５２とが連続した状態を維持する構成とすることが好ましい。または、主側誘導通路５５２に後側通路１５９０Ａ，１５９０Ｂが連続可能となる設置状態において、誘導部材５５０を含む後ブロック１０４が外枠１０１に対して回動した場合に、進入切替部材１５９１Ａ，１５９２Ａ，１５９１Ｂ，１５９２Ｂは、後側通路１５９０Ａ，１５９０Ｂの入口及び出口を閉鎖し、主側誘導通路５５２において後側通路１５９０Ａ，１５９０Ｂへ連続する通路を閉鎖する構成としてもよい。
【０２１２】
このように、パチンコ機１１００には、他のパチンコ機１１００へ遊技球を移送可能とする後側通路１５９０Ａ，１５９０Ｂが設けられ、切替操作部１５８８を操作することによって、遊技者は、大当りに当選したときなどにおいて、隣のパチンコ機１１００で遊技を行っている友人や家族に対して、遊技球に接触することなく、簡単な操作で遊技球を分け与えることができる。また、パチンコ機１１００の前側を遊技球が通過することなく、隣のパチンコ機１１００に対して遊技球を供給することができるので、パチンコ機１１００の前側のスペースを遊技者が活用し易くすることができ、余分な球箱やコップ形の球容器を遊技者の側に設置しなくて済み、遊技者の所持する携帯電話や飲み物を置くスペースを広げて遊技をし易いパチンコ機１１００とすることができる。
【０２１３】
＜貯留部の構成＞
次に、パチンコ機１００の主貯留機構２３０の構成について更に詳しく説明する。パチンコ機１００では、下大入賞装置４３３（図７参照）の内部に形成された特定通路に進入した遊技球を検出する特定通路スイッチ４４８（図１０参照）が設けられており、大当りに当選して下大入賞装置４３３が開放するときに、たまたまパチンコ機１００の貯留部２３１に遊技球がなく、補助貯留部２４１にも遊技球がないと、開放動作の時間内に特定通路に遊技球を進入させることができなかったり、短時間の下大入賞装置４３３の開放等の抽選に当選した場合に当該当選によって入賞が可能となった所定個数の遊技球の一部を入賞させることができなくなってしまうといった不都合が生じる恐れがある。そこで、パチンコ機１００では、貯留部２３１として、発射装置３３０が設けられる流出口２３１Ｂの側へ遊技球が流下する通常貯留領域２３５と、貯留部２３１への遊技球の払い出し数が一定量以上となった場合に遊技球が貯留されるものの、遊技球の発射動作に応じて貯留部２３１の遊技球が減少しても発射装置３３０側へ遊技球が流下しない補助貯留領域２３６とが設けられている。
【０２１４】
具体的に、図２５に示すように、貯留部２３１は、流入口２３１Ａから供給される遊技球が進入し、遊技球が貯留される。貯留部２３１では、通常貯留領域２３５と補助貯留領域２３６とのうち通常貯留領域２３５へ遊技球が優先して流下する。通常貯留領域２３５の底面は、右下がりの僅かな傾斜（０．５〜５°程度）を有しており、流入口２３１Ａから、発射装置３３０側へ連続する流出口２３１Ｂまで連続し、遊技球を左側から右側へと遊技球を流下（進行）させる。これにより、一定量以下の遊技球の払い出しでは、貯留部２３１の通常貯留領域２３５のみを遊技球が流下し、補助貯留領域２３６には、遊技球が進入しない構成となっている。
【０２１５】
補助貯留領域２３６は、通常貯留領域２３５の一部と隣り合うようにして設けられ、貯留部２３１のうち通常貯留領域２３５の前側に形成されている。補助貯留領域２３６の面積は、貯留部２３１の底面積の５〜５０％、より好ましくは１０〜２５％程度であることが好ましく、貯留される遊技球数としては、５個〜５０個の範囲内とすることが好ましく、１０個〜３０個の範囲内とすることが好適である。
【０２１６】
図２６は、図２５のＸ−Ｘ’線で切断した貯留部２３１の形状を模式的に示す断面図である。図２６に示すように、通常貯留領域２３５と補助貯留領域２３６との境界２３６Ａは、上方側に突出した峰状の頂上部分が連続することによって構成され、その高さは、遊技球が一定量以上貯留部２３１に貯留されるまでは、補助貯留領域２３６の側に遊技球が進入し得ない程度に設定されている。例えば、前後方向において、貯留部２３１の一番低い位置より、０．５〜５ｍｍ程度に上方に突出した頂上部分によって境界２３６Ａが構成されている。この境界２３６Ａとしては、図２６（Ａ）及び図２６（Ｂ）に別々の形状として示すように、通常貯留領域２３５と補助貯留領域２３６との境界部分を頂部とする山状の傾斜として形成されてもよいし、部分的に上方側に突出する突出部によって形成されてもよい。又は、他の境界Ａの形状として、図２６（Ｃ）に示すように、奥側（図２６（Ｃ）の右側）に下降傾斜して通常貯留領域２３５と補助貯留領域２３６とが設けられ、通常貯留領域２３５の側が一段高くなるように構成された段差によって境界２３６Ａが構成されてもよい。
【０２１７】
貯留部２３１に貯留されている遊技球が少ない場合、遊技球は通常貯留領域２３５へ誘導される。一方、貯留部２３１に貯留される遊技球が多くなると、遊技球は境界２３６Ａを乗り越え、補助貯留領域２３６に貯留される。遊技中に遊技球が発射装置３３０によって発射されると、通常貯留領域２３５に貯留された遊技球は、発射動作に応じて右側へ進行するが、補助貯留領域２３６の遊技球は境界２３６Ａによって補助貯留領域２３６の内部に留まることになる。この境界２３６Ａの高さは、遊技者が遊技球を奥側へ進行させるように手で押し出すと、境界２３６Ａを乗り越えて通常貯留領域２３５へと誘導することができる程度に低く設定され、部分的な突出部によって境界２３６Ａが構成される場合には、遊技球の半径より低く設定され、遊技球の直径の３分の１以下の高さに設定されることが好ましい。遊技者は、一旦大量の遊技球を獲得すれば、通常貯留領域２３５の遊技球がなくなった場合であっても、補助貯留領域２３６に遊技球を意識せずに残存させておくことができ、必要なときに補助貯留領域２３６の遊技球を使用して遊技をすることが可能となる。
【０２１８】
このように、貯留部２３１には、送出部２３１Ｂよりも上流側に位置して払出装置５４０によって払い出された遊技球が貯留される領域であって、貯留された遊技球が発射装置３３０の動作に応じて送出部２３１Ｂの側へ進行する通常貯留領域２３５が設けられており、さらに、払出装置５４０によって所定量以上の遊技球が通常貯留領域２３５に貯留された場合に遊技球が進入する領域であって、発射装置３３０が動作しても少なくとも一部の遊技球が進行しないで停留し、遊技者による所定の押圧操作によって通常貯留領域２３５へ遊技球を移送可能な補助貯留領域２３６が設けられている。
【０２１９】
このため、遊技球の一部が補助貯留領域２３６に停留し、発射手段によって自動的に発射されることのない遊技球を補助貯留領域２３６に確保することができる。よって、遊技者が通常貯留領域２３５に遊技球がなくなっていることに気がつくのが遅れた場合であっても、補助貯留領域２３６の遊技球を使用して速やかに遊技を継続することができる。また、補助貯留領域２３６の遊技球は、遊技者による遊技球への押圧操作によって通常貯留領域２３５へ移送可能であるので、補助貯留領域２３６から通常貯留領域２３５への遊技球の移送を簡易且つ迅速にし、遊技者の利便性を向上させることができる。
【０２２０】
なお、図２７及び図２８は、上記した通常貯留領域２３５と補助貯留領域２３６との配置とは異なる形態の通常貯留領域１２３５と補助貯留領域１２３６とを示している。図２７に示すように、補助貯留領域１２３６は、主貯留機構１２３０の貯留部１２３１の後側に設けられ、通常貯留領域１２３５が遊技者に近い手前側にて連続し、一定量以上の遊技球の払い出しによって通常貯留領域１２３５だけでなく補助貯留領域１２３６にも遊技球が貯留される。図２８に示すように、遊技球が次第に減少すると、補助貯留領域１２３６には遊技球が残存することとなる。通常貯留領域１２３５に対して遊技者から離れた後側に補助貯留領域１２３６が設けられているので、補助貯留領域１２３６における遊技球の有無は、遊技者が位置する手前側から見て貯留部１２３１を構成する壁部分の陰に隠れることが少なくなって視認しやすく、遊技者に補助貯留領域１２３６内の遊技球の存在を認識させ易くすることができる。よって、遊技者が補助貯留領域１２３６に遊技球を残したまま遊技を終えて移動してしまうことなどを未然に防止することができる。
【０２２１】
ここで、補助貯留領域１２３６における境界１２３６Ａとして、補助貯留領域２３６の左側と手前側を囲む段差状に境界１２３６Ａを形成し、流出口２３１Ｂ側（右側）に段差のない境界１２３６Ａを形成しても良い。これにより、遊技者が手で遊技球を右側に押すと、段差を越えさせることなく、発射装置３３０側に遊技球を素早く移動させることができるため、一段と簡単に且つ好適に遊技球を通常貯留領域１２３５へ誘導することができて好ましい。
【０２２２】
次に、図２９から図３１を参照して、上記実施形態とは異なる他の実施形態について更に説明する。
【０２２３】
図２９は、上記実施形態とは異なるパチンコ機２１００及び遊技球管理装置７００の配置を示す背面図である。パチンコ機２１００は、上記したパチンコ機１１００とは遊技球を移送可能に接続する通路の構成が異なるものである。
【０２２４】
上記実施形態においては、隣り合うパチンコ機１１００を、主側誘導通路５５２から分岐する後側通路１５９０Ａ，１５９０Ｂによって遊技球を移送可能に接続する構成について説明したが、必ずしも主側誘導通路５５２から後側通路１５９０Ａ，１５９０Ｂを分岐させる必要はない。図２９に示すように、隣り合うパチンコ機２１００について、補助側誘導通路５５３から後側通路２５９０Ａ，２５９０Ｂを分岐させ、隣のパチンコ機２１００の主側誘導通路５５２へ遊技球が進入可能にしてもよい。この場合にも、上記したパチンコ機１１００と同様に、進入切替部材２５９１Ａ，２５９２Ａ，２５９１Ｂ，２５９２Ｂによって、後側通路２５９０Ａ，２５９０Ｂの入口及び出口を開閉可能に構成することが好ましい。
【０２２５】
図３０は、上記実施形態とは異なる位置に、払出装置５４０によって払い出された遊技球が放出可能な出口部が設けられる形態のパチンコ機３１００の正面視及び上側から見た部分断面視における一部を示した図である。パチンコ機３１００は、上記したパチンコ機１００に対して、遊技球管理装置へ遊技球を移送する通路（移送通路）の構成が異なるものである。なお、図３０には、矢印を付した細線によって、移送通路を通過する遊技球の経路を模式的に示し、一点鎖線によって、別の位置に移動させた場合の放出通路部材３１０１Ｂと、誘導部材５５０と、後側通路３５８０とを模式的に示している。
【０２２６】
上記実施形態においては、第１の出口部として、補助貯留部２４１の放出口２４１Ｂが設けられ、第２の出口部として、パチンコ機１００，１１００の背面側に、後側通路５８０，１５８０，１５９０Ａ，１５９０Ｂの出口が設けられる構成について説明した。これに対して、本形態では、第２の出口部が、パチンコ機３１００の前面側に設けられている。
【０２２７】
外枠３１０１は、前後方向に貫通する内部空間を形成する枠状に構成されている。外枠３１０１に対しては、前ブロック３１０２及び中間ブロック１０３と、払出装置５４０を含む後ブロック１０４との組合せ（図２参照）が開閉部材として一体的に前側に開放可能に構成されている。
【０２２８】
図３０に示すように、外枠３１０１には、上記実施形態における外枠１０１に対して、遊技球の誘導通路３１０１Ａが内部に設けられ、誘導通路３１０１Ａは、外枠３１０１の左側を構成する縦長の枠部３１０１Ｃの内部に形成されている。上記実施形態における誘導部材５５０の補助側誘導通路５５３には、後側通路３５８０の入口３５８０Ａが移送可能に連続し、誘導通路３１０１Ａの上流側の端部が後側通路３５８０に連通しており、これにより、補助側誘導通路５５３と誘導通路３１０１Ａとが連続している。そして、上記実施形態と同様、遊技場の管理者又は遊技者の操作によって進入切替部材（図示せず）を操作し、補助貯留部２４１に遊技球を流下させる前側移送状態とするか、遊技球管理装置３７００に後側通路３５８０を介して遊技球を流下させる後側移送状態とするかを選択操作可能に構成されている。
【０２２９】
また、前ブロック３１０２は、上記実施形態における前ブロック１０２に対して正面視左側端部であって主貯留機構２３０と補助貯留機構２４０とが設けられる高さに相当する一部分が切除された形状となっており、外枠３１０１の左側の枠部３１０１Ｃが、パチンコ機３１００の前面に露出されている。
【０２３０】
パチンコ機３１００の左端まで後側通路３５８０によって遊技球が誘導されると、その遊技球は外枠３１０１に設けられた誘導通路３１０１Ａを経由してパチンコ機３１００の前面側へと移送される。パチンコ機３１００の前面側に移送された遊技球は、外枠３１０１の一部として設けられる放出通路部材３１０１Ｂによって遊技球管理装置３７００に移送可能となっている。遊技球管理装置３７００には、放出通路部材３１０１Ｂに設けられる遊技球の出口部と上下方向で通路が連通するように上方に開口形成された球投入部３７０５が設けられ、後側通路３５８０から外枠３１０１の誘導通路３１０１Ａと放出通路部材３１０１Ｂの内部通路とを経由して、パチンコ機３１００から遊技球管理装置３７００へ遊技球が移送可能となっている。
【０２３１】
また、放出通路部材３１０１Ｂは、図３０（Ｂ）に示すように、軸支持部３１０１Ｄによって上下方向を中心にしてパチンコ機３１００の手前側を左右に回動可能に設けられ、左側に先端側を向けた場合には、遊技球管理装置３７００の球投入部３７０５に連続する。一方、放出通路部材３１０１Ｂの先端側を右側に向けた場合には、放出通路部材３１０１Ｂの出口部が補助貯留部２４１に向けて開口し、後側通路３５８０へ進入した遊技球が補助貯留部２４１へ流下する（図３０（Ａ）及び図３０（Ｂ）における放出通路部材３１０１Ｘの状態）。これにより、遊技者は、後側通路３５８０へ遊技球が誘導される後側誘導状態であっても、他の遊技者に球箱を利用して遊技球を渡したい場合などにおいて補助貯留機構２４０の補助貯留部２４１へ遊技球を流下させ、補助貯留部２４１の放出口２４１Ｂから遊技球を放出することで必要な量分の遊技球を他の遊技者に渡す等することができる。
【０２３２】
このように、外枠３１０１には、遊技球管理装置３７００に対して後側通路３５８０と共に遊技球を移送する移送通路の一部を形成する誘導通路３１０１Ａが設けられている。このため、払出装置５４０から払い出された遊技球の少なくとも一部は外枠３１０１によって形成される移送通路の一部を経由して遊技球管理装置３７００に移送することができる。外枠３１０１は、パチンコ機３１００の左右方向における最も外側に設けられるので、移送通路の一部を通過する遊技球の通過音や接触音が遊技者に届き難くすることができ、パチンコ機３１００に設定された演出等の効果音を遊技者が聞き取り易くすることができる。また、外枠３１０１は、払出装置５４０を含む開閉可能な部位を支持しつつ遊技場にパチンコ機３１００を取り付ける際の支持体として機能するものであり、剛性や強度の高い材料によって構成され、この外枠３１０１によって形成される移送通路の一部は不正に穴を開けられたり改造されたりし難くすることができる。よって、遊技者が所持する遊技球が他の者（犯罪者）に奪われてしまうなどの不正行為を抑制することができる。
【０２３３】
次に、図３１を参照して、上記実施形態とは異なる通常貯留領域４２３５と補助貯留領域４２３６Ａ１，４２３６Ａ２とが設けられたパチンコ機４１００について説明する。パチンコ機４１００は、図３０に示す上記したパチンコ機１００に対して、主貯留機構４２３０の貯留部４２３１の構成と、貯留部４２３１に貯留された遊技球を遊技球管理装置３７００へ移送可能とする移送通路の構成が異なっている。なお、図３１には、矢印を付した細線によって、移送通路を通過する遊技球の経路を模式的に示し、一点鎖線によって、貯留部４２３１に貯留された遊技球の一部を模式的に示している。
【０２３４】
図３１（Ａ）は、パチンコ機４１００の主貯留機構４２３０の貯留部４２３１を平面視した状態を示す図である。
【０２３５】
主貯留機構４２３０の貯留部４２３１には、発射装置３３０が設けられる流出口２３１Ｂの側へ遊技球が流下する通常貯留領域４２３５と、貯留部４２３１への遊技球の払い出し数が一定量以上となった場合に遊技球が貯留されるものの、遊技球の発射動作に応じて貯留部４２３１の遊技球が減少しても発射装置３３０側へ遊技球が流下しない補助貯留領域４２３６とが設けられている。通常貯留領域４２３５と補助貯留領域４２３６とは、境界４２３６Ａによって遊技球が補助貯留領域４２３６の側へのみ、払出装置５４０による遊技球の払い出しによって移送可能となっている。
【０２３６】
補助貯留領域４２３６は、所定の列数（本実施形態では「５」）に、予め定めた数（本実施形態では「５」）ずつ並んで遊技球が待機する形状に形成され、合計で、予め定めた個数（本実施形態では「２５」）の遊技球が待機球として貯留される。補助貯留領域４２３６の各列は、各列に遊技球が並んで配列されるように起伏が設けられ、例えば、各列の間にて上方側に突出し、各列の方向に沿って連続する峰状の突条部４２３６Ｂによって各列に遊技球が並んで配置される。
【０２３７】
また、補助貯留領域４２３６は、待機球の数（以下、待機球数ともいう）を容易に把握可能なように、例えば、いずれも「５」に設定されている。補助貯留領域４２３６の列数及び各列の待機球数としては、遊技者が待機球数を把握し易いように、「３」の倍数（例えば、「３」又は「６」）か、「５」の倍数（例えば、「５」又は「１０」）に設定することが好ましい。
【０２３８】
図３１（Ｂ）は、図３１（Ａ）のＹ−Ｙ’断面で切断した貯留部４２３１の形状を模式的に示している。補助貯留領域４２３６の底面は、遊技者が位置する前側に傾斜し、一番前の遊技球の位置する下側の待機領域４２３６Ｃ１は、底面を開閉可能に動作するように構成された球支持部材４２３６Ｄによって閉塞されている。待機領域４２３６Ｃ１にて球支持部材４２３６Ｄに支持された遊技球に対して後側（図３１（Ｂ）の右側）には、４つの遊技球が待機球として連続する待機領域４２３６Ｃ２が設けられ、待機領域４２３６Ｃ２には、各列に５つの遊技球が並んで配置されている。
【０２３９】
待機領域４２３６Ｃ１，４２３６Ｃ２によって構成される補助貯留領域４２３６の各列にて、５つの遊技球が接触する底面より後側には、境界４２３６Ａが上方側に突出する頂部を構成して設けられている。補助貯留領域４２３６の後側に位置する遊技球は、通常貯留領域４２３５の底面に支持されることで発射装置３３０側へ流下可能となっている。
【０２４０】
球支持部材４２３６Ｄは、平面視で補助貯留領域４２３６の近くに設けられる排出操作部４２３６Ｅと一体化されている。排出操作部４２３６Ｅに対して遊技者が所定の方向（例えば、右斜め後方）側へ移動操作をすることで補助貯留領域４２３６の底面の一部を構成する待機領域４２３６Ｃ１が開口し、球支持部材４２３６Ｄに下側を支持されていた遊技球が下方へ流下する。この移動操作によって遊技球が下方へ流下する個数は、補助貯留領域４２３６の待機球数と一致し、全領域に遊技球が待機球として配置された状態では、「２５」の遊技球を下方へ流下させることができる。
【０２４１】
球支持部材４２３６Ｄに下側を支持されていた遊技球の前側にて遊技球を支持する貯留部２３１の壁面４２３１Ａは、遊技球の直径より低く形成されて遊技者に近い側に位置する遊技球の上部が壁面４２３１Ａより上側に突出するように構成されている。このため、遊技者の指ＹＢが待機球に接触しやすく、球支持部材４２３６Ｄに下側を支持された遊技球を、補助貯留領域４２３６から通常貯留領域４２３５へ移送し易くなっている。
【０２４２】
また、壁面４２３１Ａと、球支持部材４２３６Ｄに下側を支持された遊技球とが接触する高さは、当該遊技球の重心位置ＴＧより高く設定されている。このため、複数の遊技球が補助貯留領域４２３６の各列にて後ろに連なっても、遊技球が手前側に押し出されて移動してしまう（例えば、壁面４２３１Ａを待機球が乗り越えてしまう）ことを抑制し、予め設定された待機球数の待機球を補助貯留領域４２３６に貯留し易くすることができる。
【０２４３】
補助貯留領域４２３６の各列は、右斜め後方側に連続し、通常貯留領域４２３５の下流側に向いている。このため、遊技者は、補助貯留領域４２３６の待機球を通常貯留領域４２３５へ押圧することで、素早く発射装置３３０側へ遊技球を誘導可能とすることができる。この補助貯留領域４２３６にて遊技球が並んで待機する方向に対して、通常貯留領域４２３５における下流側の方向は略４５度以内に設定されることが好ましく、略３０度以内に設定されることが好適である。
【０２４４】
図３１（Ｃ）は、パチンコ機４１００の正面視における一部を示した図である。パチンコ機４１００は、貯留部４２３１の補助貯留領域４２３６に貯留された待機球を、外枠３１０１の一部として設けられる放出通路部材３１０１Ｂによって遊技球管理装置３７００に移送可能に構成されている。
【０２４５】
貯留部４２３１の補助貯留領域４２３６の待機領域４２３６Ｃ１の下側には、移送通路４２３２が連続し、移送通路４２３２の下流側には、放出通路部材３１０１Ｂの内部通路が連続している。このため、補助貯留領域４２３６に貯留された待機球は、外枠３１０１の一部として設けられる放出通路部材３１０１Ｂを経由して遊技球管理装置３７００に移送可能となっている。よって、補助貯留領域４２３６の全領域に遊技球が待機球として配置された状態では、「２５」の遊技球を下方へ流下させて遊技球管理装置３７００へ一定数の遊技球を移送することができる。
【０２４６】
ここで、補助貯留領域４２３６には、複数の列に、それぞれ一定個数の遊技球が待機球として貯留されている。このため、遊技者は、補助貯留領域４２３６のうち待機球が配置される領域を選択することで、より細かな数の遊技球を遊技球管理装置３７００へ容易に移送することができる。例えば、１０個の遊技球を遊技球管理装置３７００へ移送したい場合には、遊技者は、補助貯留領域４２３６の全５列のうち３列分は、通常貯留領域４２３５へ遊技球を移送し、補助貯留領域４２３６の２列に１０個の遊技球が待機球として配置されてから排出操作部４２３６Ｅを操作すればよい。各列のうち１部の列の待機球数を減少させてもよく、これにより、８個の遊技球など、各列に待機可能な待機球数の倍数以外でも、容易に計数して遊技球管理装置３７００へ移送することができる。
【０２４７】
このように、貯留部４２３１には、送出部２３１Ｂよりも上流側に設けられて払出装置５４０によって払い出された遊技球が貯留される領域であって、貯留された遊技球が発射装置３３０の動作に応じて送出部２３１Ｂの側へ進行する通常貯留領域４２３５が設けられ、さらに、発射装置３３０が動作しても遊技球が進行しないで停留する領域であって、遊技者による遊技球に対しての押圧操作によって通常貯留領域４２３５へ遊技球を移送可能であり、予め定めた個数の遊技球が並んで配置されて計数可能な計数可能貯留領域としての補助貯留領域４２３６が設けられている。補助貯留領域４２３６に停留した遊技球の個数は、単位個数としての一定数毎に、並んで、貯留されているので、遊技者が容易に待機数を計数可能であり、遊技者は、必要な数分の遊技球を遊技機外に取り出し易くすることができる。また、補助貯留領域４２３６の遊技球は、遊技者による遊技球への押圧操作によって通常貯留領域４２３５へ移送可能であるので、補助貯留領域４２３６から通常貯留領域４２３５への遊技球の移送を簡易且つ迅速にし、遊技者の利便性を向上させることができる。
【０２４８】
ここで、移送通路４２３２に対して前側には、音響装置２８３〜２８５と同様に、音響装置４２８６が重なるように設けられ、音響装置４２８６から出力される演出等の効果音が遊技者に届き易くなっている。この音響装置４２８６は、移送通路４２３２に対して、必ずしも前側に重なる位置に配置される必要はなく、ずれた位置に配置されてもよいが、パチンコ機４１００の正面視において左右方向及び上下方向における中心に近い側に配置されることが好ましい。また、音響装置４２８６に対して、背面側からの音を検出するマイク等の音検出部を設けて逆位相の音を効果音と共に出力するように、音響装置４２８６の音検出部が検出する音を副制御基板９４０が検出し、その逆位相の音についても音響装置４２８６の音出力部から出力することが好ましい。
【０２４９】
なお、本発明は、上記各実施形態に限られることはなく、上記各実施形態に記載の構成の一部を他の実施形態の構成として適用してもよく、又は、以下に記載するように変形して実施しても良い。この場合に、以下に記載する各構成を上記各実施形態に対して適用しても良く、以下に記載する複数の構成を組み合わせて上記各実施形態に対して適用しても良い。
【０２５０】
（１）上記実施形態においては、パチンコ機１００，１１００，２１００，３１００，４１００が補助貯留部２４１を有する構成としたが、補助貯留部２４１を有しない構成としてもよい。この場合であっても、補助貯留領域２３６，１２３６，４２３６が貯留部２３１，１２３１，４２３１に設けられることによって予備の遊技球を貯留部２３１，１２３１，４２３１内に残存させておくことができ、必要なときに補助貯留領域２３６，１２３６，４２３６の遊技球を使用して遊技をすることが可能となる。また、補助貯留部２４１の出口部を有さず、補助貯留部２４１に連続する補助側誘導通路５５４の下流側部分も設けず、後側通路５８０，１５８０，３５８０を経由した側のみに遊技球を遊技機外に出す出口部を設けてもよい。補助貯留部２４１はパチンコ機１００，１１００の下部に設けられているため、遊技者の陰になって監視が困難な可能性があり、その部位における遊技球の出口部を省略可能とすることにより防犯性能を高めることができる。
【０２５１】
上記実施形態においては、補助側誘導通路５５３の下流側と後側通路５８０，１５８０とのいずれかを、進入切替部材５８１によって選択することで、遊技球が流下する方向を切り替える場合について説明したが、必ずしも一方側に１０割進入して他方側には全く進入しないものとする必要はなく、半々や、５対１など、両方へ遊技球が流下する割合となるように、進入切替部材５８１によって後側通路５８０，１５８０へ遊技球が進行した先に一定個数毎に遊技球の方向を振り分ける振分機構を設けて一部の遊技球を補助側誘導通路５５３に戻すようにしてもよいし、後側通路５８０の開口幅を選択可能とすることによって遊技球の流下割合を調整可能にしてもよい。他の実施形態における進入切替部材による遊技球の流下割合を変化させる構成についても、必ずしもいずれか一方に遊技球を流下させる必要はなく、両方へ遊技球が流下するようにしてもよい。
【０２５２】
上記実施形態においては、隣り合うパチンコ機１１００，２１００を、誘導通路５５２，５５３から分岐する後側通路１５９０Ａ，１５９０Ｂ，２５９０Ａ，２５９０Ｂによって遊技球を移送可能に接続する構成について説明したが、必ずしも、左右で隣り合うパチンコ機１１００と後側通路を相互に接続する必要はなく、背面同士が向かい合うパチンコ機を後側通路で接続したり、他のパチンコ機を間に挟んで離れて位置するパチンコ機にも後側通路で遊技球を移送可能に接続してもよい。
【０２５３】
上記実施形態においては、隣に位置する遊技球管理装置７００，３７００および隣りに位置するパチンコ機１１００，２１００に対して、遊技球を移送可能に接続するパチンコ機１００，１１００，２１００，３１００，４１００の構成について説明したが、移送可能とするのは、遊技球に限らず、これに代えて、又は、これに加えて、遊技機の情報を移送可能としてもよく、例えば、入賞の発生などの遊技球の入賞に関する情報（入賞確率や発射球数と賞球数との比率に対応する情報）、大当りの発生および遊技の状態などの遊技機の抽選に関する情報、不正行為の検出や遊技依存者の遊技機利用等の異常発生に関する情報を、他の遊技用装置又は遊技機に移送可能にしてもよい。この場合に、必ずしも情報通信可能な接続線を遊技機に設ける必要はなく、後側通路を経由して移送する遊技球の移送タイミングや、遊技球を移送する時間間隔など、払出装置５４０の払出制御として情報出力用の制御を設けて、相手側の遊技用装置又は遊技機には遊技球が移送される入口部分に遊技球を検出する検出センサを設け、その検出センサの検出結果によって情報を伝達可能にしてもよい。
【０２５４】
上記実施形態においては、鉛直下方向に遊技球を誘導する主側誘導通路５５２又は補助側誘導通路５５３に対して略垂直な方向に相当する略水平な方向側に、後側通路５８０，１５８０，１５９０Ａ，１５９０Ｂ，２５９１Ａ，２５９１Ｂが分岐する構成について説明したが、これに限らず、例えば、斜め３０°程度に分岐しても良く、後側通路５８０，１５８０，１５９０Ａ，１５９０Ｂ，２５９１Ａ，２５９１Ｂは、誘導通路５５２，５５３の連続する方向と相違する方向に遊技球を誘導可能に構成されていればよい。
【０２５５】
上述実施形態においては、パチンコ機１００等の遊技機に遊技球貸出装置２９０が設けられる構成について説明したが、遊技機に必ずしも遊技球貸出装置２９０が設けられる必要はなく、遊技球管理装置７００の管理装置操作部７０２を操作して遊技者が所持する遊技価値に対応する遊技球の貸し出し操作や、価値記憶媒体の返却操作が実行される構成であってもよい。
【０２５６】
上記実施形態においては、進入切替部材５８１が切替操作部５８４に対しての手動操作によって進入阻止姿勢と進入許容姿勢とを切り替えて動作する構成について説明したが、操作スイッチと、操作スイッチに対しての操作によって駆動するモータ等の駆動源とを設けて、進入切替部材５８１が電気的に動作する構成としてもよく、この場合に、パチンコ機１００の前面側に操作スイッチを設けて、進入切替部材５８１の動作を遊技場の管理者が設定可能にしてもよく、又は、パチンコ機１００の前面側に操作スイッチを設けて、遊技者が、後側通路５８０への遊技球の進入可否を操作可能にしてもよく、あるいは、パチンコ機１００の前面側に遊技者用の第１操作スイッチを設け、背面側に遊技場の管理者用の第２操作スイッチを設けて、第２操作スイッチによって第１操作スイッチの有効無効を切替可能にしてもよく、これにより、遊技場管理装置が後側通路５８０に対応する場合に限って、遊技者が後側通路５８０への遊技球の進入可否を切替可能とすることができて好ましい。
【０２５７】
進入切替部材５８１，１５８１，１５９１Ａ，１５９１Ｂ，２５９１Ａ，２５９１Ｂの構成は、上記構成に限らず、後側通路５８０，１５８０，１５９０Ａ，１５９０Ｂ，２５９０Ａ，２５９０Ｂへの遊技球の進入の阻止と許容とを切替可能であれば、他の構成であってもよく、例えば、スライド移動によって姿勢を切り替えるものでもよい。
【０２５８】
上記実施形態では、後側通路５８０，１５８０，１５９０Ａ，１５９０Ｂ，２５９０Ａ，２５９０Ｂ，３５８０を形成する後側通路部材をパチンコ機１００に設ける構成について説明したが、必ずしもパチンコ機１００，１１００，２１００，３１００，４１００に後側通路部材を設ける必要はない。後側通路部材を遊技球管理装置７００に設け、パチンコ機１００には、補助側誘導通路５５３から後側通路５８０へ遊技球を進入させる球出口をパチンコ機１００の背面側に設ける構成としてもよい。この場合には、進入切替部材５８１をパチンコ機１００の誘導部材５５０に設けて、球出口からの球の出力を阻止する進入阻止姿勢と、球出口から後側通路５８０への遊技球の進入を許容する進入許容姿勢とを切替操作可能とすることが好ましい。
【０２５９】
パチンコ機１００，１１００，２１００は、遊技球管理装置７００に対して、必ずしも前後に設けられた複数の球投入部から遊技球を進入させる構成とする必要はなく、前または後の一方側のみから遊技球を進入させる構成としてもよい。
【０２６０】
上記実施形態では、払出装置５４０によって払い出された遊技球が補助貯留領域４２３６に貯留される構成について説明したが、払出装置５４０によって遊技球が払い出されて通常貯留領域４２３５に所定量以上となった場合でも補助貯留領域４２３６には遊技球が進入せず（貯留されず）、遊技者が手操作で補助貯留領域４２３６に遊技球を貯留するようにしてもよい。この場合でも、通常貯留領域４２３５の隣に補助貯留領域４２３６を設けて、遊技者の遊技球に対しての押圧操作で、通常貯留領域４２３５と補助貯留領域４２３６とを区画する境界を越えて通常貯留領域４２３５から補助貯留領域４２３６へと遊技球を移送可能としておくことが好ましい。
【０２６１】
上記実施形態では、補助貯留領域４２３６に貯留された待機球は、遊技球に接触することなく移送通路４２３２へ進入させることができる場合について説明したが、これに限らず、補助貯留領域４２３６に貯留された待機球を、遊技者が遊技球に接触して手操作で移送通路に遊技球を進入させる構成としてもよい。
【０２６２】
上記実施形態では、補助貯留領域４２３６に貯留された待機球は、遊技者が手操作で通常貯留領域４２３５に遊技球を移送する場合について説明したが、これに限らず、所定の操作部に対する遊技者の操作によって、待機球に接触することなく、補助貯留領域４２３６から通常貯留領域４２３５へ遊技球を移送可能としてもよい。例えば、補助貯留領域４２３６の底面を、上昇したり、傾斜角度が変化するように動作可能に構成し、その底面を動作させるために遊技者によって操作される操作部を底面と一体的に設けてもよいし、補助貯留領域４２３６の底面を動作させるモータ等の駆動源と駆動原の動作を制御する押圧操作が可能なスイッチを設け、遊技者によるスイッチに対しての操作によって補助貯留領域４２３６から通常貯留領域４２３５へ遊技球を移送可能にしてもよい。
【０２６３】
（２）本発明を上記実施形態とは異なるタイプのパチンコ機等に実施しても良い。例えば、一度大当りすると、それを含めて複数回（例えば２回、３回）大当り状態が発生するまで、大当り期待値が高められるようなパチンコ機として実施しても良い。また、大当り図柄が表示された後に、所定の領域に球が入賞することを必要条件として特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。また、パチンコ機に限定されることはなく、遊技媒体として、遊技球以外のメダルを使用する遊技機にて実施してもよく、例えば、スロットマシン等の回胴式遊技機に適用しても良く、または、遊技球を遊技媒体とする回胴式遊技機としてのパロット等の遊技機に適用しても良い。
【０２６４】
＜上記実施形態から抽出される発明＞
以下、上記した実施形態から抽出される発明群の特徴について、必要に応じて課題及び効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０２６５】
＜特徴１０＞
遊技媒体を用いて遊技を行う遊技機（パチンコ機１００，１１００，２１００，３１００，４１００）であって、
遊技媒体を払い出す払出装置（払出装置５４０）と、
前記払出装置から払い出された遊技媒体を遊技者が取り出し操作可能に、遊技機前側に貯留する貯留部（貯留部２３１，２４１）と、
該貯留部に貯留された遊技媒体を遊技機外に出す第１出口部（補助貯留部２４１の放出口２４１Ｂ）と、
前記払出装置と前記貯留部との間に設けられて、該払出装置から前記貯留部へと遊技媒体を払い出すための第１払出通路（補助側誘導通路５５３）と、
前記第１払出通路とは別に設けられて、前記払出装置から払い出された遊技媒体を前記第１出口部とは異なる位置にて遊技機外に出す第２出口部（後側通路５８０，１５８０及び放出通路部材３１０１Ｂの出口）と、
前記払出装置から払い出された遊技媒体が前記第２出口部に進入するか否かを切り替えることが可能な進入切替手段（進入切替部材５８１，１５８１，１５９１Ａ，１５９１Ｂ、球支持部材４２３６Ｄ）とを備えていることを特徴とする遊技機。
【０２６６】
従来の遊技機において、入賞に応じた特典として払い出された遊技球あるいは入金額に応じて貸し出された遊技球は、遊技機に設けられる球皿の他に、遊技者の近傍に設置された球箱等へ球皿の球出口を通過させて貯留するのが一般的であった。また、遊技者が所持する所持金や遊技球数に対応した情報をＩＣカードなどの価値記憶媒体に記憶するように構成された遊技用装置も知られている（例えば、特開２００２−２２４３６２号公報参照）。
【０２６７】
これら従来の遊技機において、遊技者が所持する遊技媒体を管理する構成について、未だ改良の余地がある可能性がある。
【０２６８】
特徴１０に記載の遊技機によれば、遊技者が所持する遊技球を好適に管理可能な遊技機を提供することができる。すなわち、第１出口部を利用して、従来と同様に、遊技者自身の管理する球箱や遊技用装置に遊技球を移送可能としつつ、更に、第２出口部を使って他の遊技機や遊技用装置に遊技球を好適に移送することが可能となる。
【０２６９】
なお、特徴１０に記載の遊技機は、第２出口部への遊技球の進入を阻止する進入割合切替部（進入阻止部５８２）と、進入割合切替部を回動可能にする軸部であって、第２出口部に対する遊技球の進入を阻止する進入阻止姿勢と遊技球の進入を許容する進入許容姿勢とを切り替え可能とする回動軸部（回動軸部５８３）と、進入阻止姿勢と進入許容姿勢とを切り替える切替操作部（切替操作部５８４）とを備えるものとしてもよい。
【０２７０】
また、進入割合変化手段が変化させる遊技媒体が進入する割合は、一方側に１０割進入して他方側には全く進入しない割合を含んでもよいし、半々や、５対１など、両方へ遊技媒体が流下する割合を含んでもよい。
【０２７１】
また、特徴１０に記載の遊技機外に出すの記載は、遊技機にて遊技媒体を支持し得る貯留部や通路から遊技媒体を出すとしてもよく、遊技機では遊技媒体を支持し得ない位置に遊技媒体を出すとしてもよい。
【０２７２】
また、特徴１０に記載の第２出口部は、第１出口部とは異なる位置であって遊技機において第１出口部とは異なる方向側に遊技媒体を出すとしてもよいし、第１出口部は、遊技機前側にて遊技球を出し、第２出口部は遊技機前側とは異なる位置に遊技球を出すとしてもよい。
【０２７３】
＜特徴１１＞
特徴１０に記載の遊技機において、
前記第１払出通路は、
その下流側が前記貯留部における遊技球の流入口（流入口２３１Ａ）を構成し、
前記第２出口部は、
第１払出通路の途中であって前記流入口より上流側にて分岐した側に設けられ、第１払出通路に所定量以上の遊技球が貯留された場合に遊技球を遊技機外に出す構成とされていることを特徴とする遊技機。
【０２７４】
特徴１１に記載の遊技機によれば、流入口よりも上流側に第２出口部が設けられ、貯留部がいっぱいになって流入口より上流側に遊技球が貯留された場合にのみ、遊技球を第２出口部の側に進入させることができる。これにより、遊技をしている最中の遊技機には貯留部に遊技球が満たされた状態を維持しつつ、更に多く払い出された遊技球のみを第２出口部に逃がすことができ、遊技球の払出を迅速にしつつ、遊技球を好適に管理可能とすることができる。
【０２７５】
＜特徴１２＞
特徴１０又は特徴１１に記載の遊技機において、
前記第２出口部は、
遊技者に貸出可能な遊技球の貸出可能数を価値記憶媒体に記憶すると共に、遊技者の操作に応じて遊技球を貸し出すことが可能な遊技用装置（遊技球管理装置７００）に遊技球を移送可能に接続されており、
前記遊技用装置によって、前記第２出口部を通って移送された遊技球の数を、前記貸出可能数に加算して前記記憶媒体に記憶させることが可能に構成されていることを特徴とする遊技機。
【０２７６】
特徴１２に記載の遊技機によれば、第１出口部を経由させずに、第２出口部を介して遊技用装置に遊技球を移送すると共に貸出可能数に加算可能とすることができ、第１出口部を経由させないことによる効果を奏する構成とすることができる。例えば、第１出口部が遊技者に近い位置に設けられることにより通過する遊技球同士の接触音によって演出の効果音が聞き取りにくくなる不都合を抑制することができる。
【０２７７】
＜特徴１３＞
特徴１０〜特徴１２のいずれかに記載の遊技機において、
前記第２出口部は、他の遊技機における貯留部に遊技球を流下させる通路に遊技球を出す構成とされていることを特徴とする遊技機。
【０２７８】
特徴１３に記載の遊技機によれば、友人や家族などが遊技する他の遊技機との間で遊技球の譲渡や貸し借りなどが可能となり、遊技者の利便性を向上させることができる。
【０２７９】
＜特徴１４＞
特徴１０〜特徴１３のいずれかに記載の遊技機において、
前記進入割合変化手段は、遊技者によって前記第２出口部に遊技球が進入する割合を変化させる操作が可能に構成されていることを特徴とする遊技機。
【０２８０】
特徴１４に記載の遊技機によれば、遊技者が自由なタイミングで遊技球が出る出口部を選択することができ、遊技者の利便性を向上させることができる。
【０２８１】
＜特徴１５＞
特徴１３〜特徴１４のいずれかに記載の遊技機において、
前記第１払出通路には、他の遊技機に設けられる第２出口部から出た遊技球が進入可能な通路を接続可能とする接続部が設けられていることを特徴とする遊技機。
【０２８２】
特徴１５に記載の遊技機によれば、他の遊技機における第２出口部を接続可能とすることができるため、接続された遊技機間で双方向への遊技球の供給を可能とするなど、一層利便性を高めることができる。
【０２８３】
＜特徴１６＞
特徴１１〜特徴１５のいずれかに記載の遊技機において、
前記第２出口部は、複数箇所に設けられ、複数の遊技機における貯留部に遊技球を流下させる通路に遊技球を出すことが可能に構成されていることを特徴とする遊技機。
【０２８４】
特徴１６に記載の遊技機によれば、複数の遊技機間で双方向への遊技球の供給を可能とするなど、一層利便性を高めることができる。
【０２８５】
＜特徴１７＞
特徴１０〜特徴１６のいずれかに記載の遊技機において、
前記第１払出通路は、二つの通路に分岐して第１の貯留部と第２の貯留部とにそれぞれ連続し、
前記第２出口部は、前記第１払出通路における二つの通路に分岐した分岐部分よりも下流側にて第１払出通路から分岐して設けられていることを特徴とする遊技機。
【０２８６】
特徴１７に記載の遊技機によれば、二つの通路に分岐した分岐部分より下流側にて第２出口部に遊技球が流れるため、第１の貯留部と第２の貯留部のうち、一方側に遊技球が流れないように、第２出口部に進入する遊技媒体の割合を変化させることを可能とするなど、より一層利便性を高めることができる。
【０２８７】
＜特徴２０＞
遊技者が視認可能な遊技領域（遊技球の流下領域）と、
遊技者によって発射操作が行われる発射操作手段（発射操作装置２５０）と、
該発射操作手段に対しての遊技者の操作によって遊技球を前記遊技領域に発射する発射手段（発射装置３３０）と、
遊技球を払い出す払出装置（払出装置５４０）と、
該払出装置によって払い出されて遊技に使用される遊技球を貯留する貯留手段（主貯留機構２３０）と、
前記貯留手段に貯留された遊技球を前記発射手段側に送出する送出部（流出口２３１Ｂ）とを備え、
前記貯留手段（貯留部２３１，１２３１，４２３１）には、前記送出部よりも上流側に位置して前記払出装置によって払い出された遊技球が貯留される領域であって、貯留された遊技球が前記発射手段の動作に応じて前記送出部の側へ進行する通常貯留領域（通常貯留領域２３５，１２３５，４２３５）が設けられており、
さらに、前記払出装置によって所定量以上の遊技球が前記通常貯留領域に貯留された場合に遊技球が進入する領域であって、前記発射手段が動作しても少なくとも一部の遊技球が進行しないで停留し、遊技者による所定の押圧操作によって前記通常貯留領域へ遊技球を移送可能な停留貯留領域（補助貯留領域２３６，１２３６，４２３６）が設けられていることを特徴とする遊技機。
【０２８８】
従来の遊技機において、入賞に応じた特典として払い出された遊技球あるいは入金額に応じて貸し出された遊技球は、遊技機に設けられる球皿の他に、遊技者の近傍に設置された球箱等へ球皿の球出口を通過させて貯留するのが一般的であった。また、遊技者が所持する所持金や遊技球数に対応した情報をＩＣカードなどの価値記憶媒体に記憶するように構成された遊技用装置も知られている（例えば、特開２００２−２２４３６２号公報参照）。
【０２８９】
これら従来の遊技機において、遊技者が所持する遊技媒体を管理する構成について、未だ改良の余地がある可能性がある。
【０２９０】
また、従来の遊技機において、入賞に応じた特典として払い出された遊技球あるいは入金額に応じて貸し出された遊技球は、遊技者の手元近傍に設置された貯留手段（いわゆる上皿）に貯留される。貯留手段より下には補助的な補助貯留手段（いわゆる下皿）が設けられている（例えば特開２００９−２２１６０号参照）。遊技者は補助貯留手段に貯留した遊技球を貯留手段に補充することにより、貯留手段の遊技球の不足を補うことができる。
【０２９１】
しかしながら、従来の遊技機において、補助貯留手段は、貯留手段から離れた位置にあって、遊技球を補う操作が面倒な場合がある。
【０２９２】
特徴２０に記載の遊技機によれば、遊技者が所持する遊技球を好適に管理可能な遊技機を提供することができる。すなわち、遊技球の一部が停留貯留領域に停留し、発射手段によって自動的に発射されることのない遊技球を停留貯留領域に確保することができる。このため、遊技者が通常貯留領域に遊技球がなくなっていることに気がつくのが遅れた場合であっても、停留貯留領域の遊技球を使用して速やかに遊技を継続することができる。また、停留貯留領域の遊技球は、遊技者による所定の押圧操作によって通常貯留領域へ移送可能であるので、停留貯留領域から通常貯留領域への遊技球の移送を簡易且つ迅速にし、遊技者の利便性を向上させることができる。
【０２９３】
＜特徴２１＞
特徴２０に記載の遊技機において、
前記通常貯留領域及び前記停留貯留領域の境界の少なくとも一部に上方に突出する突条部が遊技球の半径より低い高さで設けられていることを特徴とする遊技機。
【０２９４】
特徴２１に記載の遊技機によれば、突条部によって境界を形成し、且つ、遊技者による遊技球への押圧操作によって停留貯留領域から通常貯留領域へ遊技球を容易に移送可能とすることができる。
【０２９５】
＜特徴２２＞
特徴２１に記載の遊技機において、
前記境界の一部は、前記送出口が設けられる側に位置していることを特徴とする遊技機。
【０２９６】
特徴２２に記載の遊技機によれば、境界の一部として送出口が設けられる側に向かって遊技球を押し出すようにすれば、短時間で送出口を経由して発射手段に遊技球を供給することができる。このため、遊技者が急いで遊技球を発射したい状況に正確且つ確実に遊技球を発射し易くすることができ、遊技者が不測の不利益を被る可能性を低減することができる。
【０２９７】
＜特徴２３＞
特徴２０〜特徴２２のいずれかに記載の遊技機において、
前記通常貯留領域と前記停留貯留領域とは、遊技者が位置する遊技機前側と、遊技機後側とに並んで設けられており、
前記通常貯留領域と前記停留貯留領域とにおいて、遊技球が離間して停留するように境界が上方に突出した頂部とされて前後に下り傾斜した底面部が設けられていることを特徴とする遊技機。
【０２９８】
特徴２３に記載の遊技機によれば、通常貯留領域と停留貯留領域とが底面部の傾斜によって明確に別れるため、停留貯留領域に貯留されている遊技球を遊技者が認識し易くすることができる。
【０２９９】
＜特徴２４＞
特徴２０〜特徴２３のいずれかに記載の遊技機において、
前記停留貯留領域は、前記通常貯留領域に対して遊技者が位置する遊技機前側に設けられていることを特徴とする遊技機。
【０３００】
特徴２４に記載の遊技機によれば、通常貯留領域を遊技者が視認し易くして遊技者が通常貯留領域における遊技球の残量を確認し易くし、且つ、停留貯留領域が遊技者に近い位置に設けられるため、停留貯留領域に貯留された待機球を遊技者が手で押圧操作して通常貯留領域へ移送し易くすることができる。
【０３０１】
＜特徴２５＞
特徴２０〜特徴２４のいずれかに記載の遊技機において、
前記停留貯留領域は、前記通常貯留領域に対して遊技者から離間した遊技機後側に設けられていることを特徴とする遊技機。
【０３０２】
特徴２５に記載の遊技機によれば、停留貯留領域が視認しやすいため、遊技者は停留貯留領域に遊技球が残っている状況を容易に視認することができ、停留貯留領域に遊技球を残したまま遊技を終了して遊技者が移動してしまうことを抑制することができる。
【０３０３】
＜特徴２６＞
特徴２０〜特徴２５のいずれかに記載の遊技機において、
前記停留貯留領域は、前記貯留手段の底面積のうち、５〜５０％の底面積を占める大きさに設定されていることを特徴とする遊技機。
【０３０４】
特徴２６に記載の遊技機によれば、適度な量の遊技球を停留貯留領域に確保することができる。
【０３０５】
＜特徴３０＞
遊技媒体を払い出す払出装置（払出装置５４０）と、
前記払出装置から払い出された遊技媒体を遊技機外に出す出口部（補助貯留部２４１の放出口２４１Ｂ、後側通路５８０，１５８０及び放出通路部材３１０１Ｂの出口）と、
該出口部と前記払出装置との間にて遊技媒体が通過する移送通路を形成する通路形成部材とを備え、
前側に開閉動作可能な開閉部材が、前後方向に貫通する内部空間を形成する枠状に構成された外枠部材に支持された遊技機（パチンコ機３１００，４１００）であって、
前記払出装置は前記開閉部材に設けられ、
前記外枠部材は、前記通路形成部材の一部を構成して前記移送通路の一部（誘導通路３１０１Ａ）を形成することを特徴とする遊技機。
【０３０６】
従来の遊技機において、入賞に応じた特典として払い出された遊技球あるいは入金額に応じて貸し出された遊技球は、遊技機に設けられる球皿の他に、遊技者の近傍に設置された球箱等へ球皿の球出口を通過させて貯留するのが一般的であった。また、遊技者が所持する所持金や遊技球数に対応した情報をＩＣカードなどの価値記憶媒体に記憶するように構成された遊技用装置も知られている（例えば、特開２００２−２２４３６２号公報参照）。
【０３０７】
これら従来の遊技機において、遊技者が所持する遊技媒体を管理する構成について、未だ改良の余地がある可能性がある。
【０３０８】
特徴３０に記載の遊技機によれば、遊技者が所持する遊技球を好適に管理可能な遊技機を提供することができる。すなわち、払出装置が開閉部材に設けられ、外枠部材は、通路形成部材の一部を構成して移送通路の一部を形成するので、払出装置から払い出された遊技球の少なくとも一部は外枠部材によって形成される移送通路の一部を経由して遊技機外に排出される。外枠部材は、遊技機の左右方向における最も外側に設けられるので、移送通路の一部を通過する遊技媒体の通過音や接触音が遊技者に届き難くすることができ、遊技機に設定された演出等の効果音を遊技者が聞き取り易くすることができる。また、外枠部材は、払出装置を含む開閉部材を支持しつつ遊技場に遊技機を取り付ける際の支持体として機能するものであり、剛性や強度の高い材料によって構成され、この外枠部材によって形成される移送通路の一部は不正に穴を開けられたり改造されたりし難くすることができる。よって、遊技者が所持する遊技球が他の者（犯罪者）に奪われてしまうなどの不正行為を抑制することができる。
【０３０９】
＜特徴３１＞
特徴３０に記載の遊技機であって、
前記開閉部材は、前記外枠部材の一部に対して前側に重なる形状であって前記外枠部材における左右方向の一方側に設けられる縦長の枠構成部を遊技機前側に露出する形状に構成され、
前記枠構成部には、前記移送通路の一部として下方に流下した後に遊技機前側に遊技球を移送可能な通路が形成されていることを特徴とする遊技機。
【０３１０】
特徴３１に記載の遊技機によれば、遊技機の左右方向における最も外側を経由して遊技機前側に遊技球を出すことができるので、遊技機に設定された演出等の効果音を遊技者が聞き取り易く構成しつつ、従来と同様に、遊技者に対して遊技機前側で遊技球を管理可能とすることができる。
【０３１１】
＜特徴４０＞
遊技媒体を用いて遊技を行う遊技機（パチンコ機１００，１１００，２１００，３１００，４１００）であって、
遊技媒体を払い出す払出装置（払出装置５４０）と、
前記払出装置から払い出された遊技媒体を遊技機外に出す出口部（後側通路５８０，１５９０Ａ，１５９０Ｂ，３５８０Ａを経由した遊技球の出口、補助貯留部２４１の放出口２４１Ｂ）と、
該出口部と前記払出装置との間にて遊技媒体が通過する移送通路を形成する通路形成部材と、
前記移送通路の一部に対して前側に設けられて、所定の音を出力する音出力手段（音響装置２８３〜２８５，４２８６）とを備えていることを特徴とする遊技機。
【０３１２】
従来の遊技機において、入賞に応じた特典として払い出された遊技球あるいは入金額に応じて貸し出された遊技球は、遊技機に設けられる球皿の他に、遊技者の近傍に設置された球箱等へ球皿の球出口を通過させて貯留するのが一般的であった。また、遊技者が所持する所持金や遊技球数に対応した情報をＩＣカードなどの価値記憶媒体に記憶するように構成された遊技用装置も知られている（例えば、特開２００２−２２４３６２号公報参照）。
【０３１３】
これら従来の遊技機において、遊技者が所持する遊技媒体を管理する構成について、未だ改良の余地がある可能性がある。
【０３１４】
特徴４０に記載の遊技機によれば、遊技者が所持する遊技球を好適に管理可能な遊技機を提供することができる。すなわち、移送通路の一部に対して前側に音出力手段が設けられているので、遊技媒体を遊技機外に出すまでの過程において移送通路内を通過する遊技媒体の通過音や接触音より音出力手段によって出力される音を優先して遊技者に届かせることができ、遊技機に設定された演出等の効果音を遊技者が聞き取り易くすることができる。また、音出力手段は、剛性の高い金属部材や音を響かせるための筐体（エンクロージャー）を含むものであり、これらの部材が移送通路の前に位置することによって後側の移送通路で発生した音が遊技者側に届く強さを低減することができる。
【０３１５】
＜特徴４１＞
特徴４０に記載の遊技機であって、
前記移送通路の一部に対して前側に設けられて、前記移送通路の一部が設けられる側にて発生した音を検出する音検出手段を備え、
前記音出力手段は、前記音検出手段によって検出された音に基づいて、当該音の遊技機前側への出力を低減させる音（検出された音を打ち消す逆位相の音）を含む音を遊技機前側へ出力することを特徴とする遊技機。
【０３１６】
特徴４１に記載の遊技機によれば、音検出部によって移送通路の一部で発生する音が遊技機前側へ出力される程度を低減させることができるので、移送通路を経由する遊技球の通過音や接触音が打ち消され易くなって、遊技機に設定された効果音を遊技者に届き易くすることができる。
【０３１７】
＜特徴５０＞
遊技者が視認可能な遊技領域（遊技球の流下領域）と、
遊技者によって発射操作が行われる発射操作手段（発射操作装置２５０）と、
該発射操作手段に対しての遊技者の操作によって遊技球を前記遊技領域に発射する発射手段（発射装置３３０）と、
遊技球を払い出す払出装置（払出装置５４０）と、
該払出装置によって払い出されて遊技に使用される遊技球を貯留する貯留手段（主貯留機構４２３０）と、
前記貯留手段に貯留された遊技球を前記発射手段側に送出する送出部（流出口２３１Ｂ）とを備え、
前記貯留手段には、前記送出部よりも上流側に設けられて前記払出装置によって払い出された遊技球が貯留される領域であって、貯留された遊技球が前記発射手段の動作に応じて前記送出部の側へ進行する通常貯留領域（通常貯留領域４２３５）が設けられており、
さらに、前記発射手段が動作しても遊技球が進行しないで停留する領域であって、遊技者による所定の押圧操作によって前記通常貯留領域へ遊技球を移送可能であり、予め定めた個数の遊技球が並んで配置されて計数可能な計数可能貯留領域（補助貯留領域４２３６）が設けられていることを特徴とする遊技機。
【０３１８】
従来の遊技機において、入賞に応じた特典として払い出された遊技球あるいは入金額に応じて貸し出された遊技球は、遊技機に設けられる球皿の他に、遊技者の近傍に設置された球箱等へ球皿の球出口を通過させて貯留するのが一般的であった。また、遊技者が所持する所持金や遊技球数に対応した情報をＩＣカードなどの価値記憶媒体に記憶するように構成された遊技用装置も知られている（例えば、特開２００２−２２４３６２号公報参照）。
【０３１９】
これら従来の遊技機において、遊技者が所持する遊技媒体を管理する構成について、未だ改良の余地がある可能性がある。
【０３２０】
特徴５０に記載の遊技機によれば、遊技者が所持する遊技球を好適に管理可能な遊技機を提供することができる。すなわち、計数可能貯留領域に停留した遊技球の個数を遊技者が計数可能であるので、遊技者が必要な数分の遊技球を遊技機外に取り出し易くすることができる。また、計数可能貯留領域の遊技球は、遊技者による所定の押圧操作によって前記通常貯留領域へ移送可能であるので、計数可能貯留領域から通常貯留領域への遊技球の移送を簡易且つ迅速にし、遊技者の利便性を向上させることができる。
【０３２１】
＜特徴５１＞
特徴５０に記載の遊技機であって、
遊技媒体を払い出す払出装置（払出装置５４０）と、
前記払出装置から払い出された遊技媒体を遊技者が取り出し操作可能に、遊技機前側に貯留する貯留部（貯留部２４１）と、
該貯留部に貯留された遊技媒体を遊技機外に出す第１出口部（補助貯留部２４１の放出口２４１Ｂ）と、
前記払出装置と前記貯留部との間に設けられて、該払出装置から前記貯留部へと遊技媒体を払い出すための第１払出通路（補助側誘導通路５５３）と、
前記計数可能貯留領域に貯留された遊技球を遊技者による所定の排出操作によって前記第１出口部とは異なる位置にて遊技機外に出す第２出口部（移送通路４２３２及び放出通路部材３１０１Ｂの内部通路）とを備えていることを特徴とする遊技機。
【０３２２】
特徴５１に記載の遊技機によれば、第１出口部を利用して、従来と同様に、遊技者自身の管理する球箱や遊技用装置に遊技球を移送可能としつつ、更に、第２出口部を使って他の遊技機や遊技用装置に、遊技者の移送したい数分の遊技球を好適に移送することが可能となる。
【０３２３】
なお、特徴１０〜５１に記載の少なくとも１つの特徴を他のいずれか又は複数の特徴に組み合わせて適用しても良い。以下には、上記した各特徴を適用し得る遊技機の基本構成を示す。
【０３２４】
パチンコ機：遊技者が操作する発射操作手段と、その発射操作手段の操作に基づいて遊技球を発射する遊技球発射手段と、その発射された遊技球を所定の遊技領域に導く通路部と、遊技領域内に配置された各遊技部品とを備え、それら各遊技部品のうち所定の通過部を遊技球が通過した場合に遊技者に特典を付与する遊技機。
【０３２５】
スロットマシン等の回胴式遊技機：始動操作手段の操作に基づき周回体の回転を開始させ、停止操作手段の操作に基づき周回体の回転を停止させ、その停止後の絵柄に応じて遊技者に特典を付与する遊技機。
【産業上の利用可能性】
【０３２６】
以上のように、この発明は、弾球遊技機等の遊技機に適している。
【符号の説明】
【０３２７】
１００，１１００，２１００，３１００，４１００：パチンコ機、  ２３０，４２３０：主貯留機構、  ２３１，４２３１：貯留部、  ２３１Ａ：流入口、２３５，１２３５，４２３５：通常貯留領域、  ２３６，１２３６，４２３６：補助貯留領域、  ２４１：補助貯留部、  ２４１Ｂ：放出口、  ３３０：発射装置、  ２８１〜２８５，４２８６：音響装置、  ５４０：払出装置、  ５５２：主側誘導通路、  ５５３：補助側誘導通路、  ５８０，１５８０，３５８０：後側通路、  ５８１，１５８１，１５９１Ａ，１５９１Ｂ：進入切替部材、  ７００，３７００：遊技球管理装置、  ４２３６Ｄ：球支持部材
【図１】
2018171332.tif 000003
【図２】
2018171332.tif 000004
【図３】
2018171332.tif 000005
【図４】
2018171332.tif 000006
【図５】
2018171332.tif 000007
【図６】
2018171332.tif 000008
【図７】
2018171332.tif 000009
【図８】
2018171332.tif 000010
【図９】
2018171332.tif 000011
【図１０】
2018171332.tif 000012
【図１１】
2018171332.tif 000013
【図１２】
2018171332.tif 000014
【図１３】
2018171332.tif 000015
【図１４】
2018171332.tif 000016
【図１５】
2018171332.tif 000017
【図１６】
2018171332.tif 000018
【図１７】
2018171332.tif 000019
【図１８】
2018171332.tif 000020
【図１９】
2018171332.tif 000021
【図２０】
2018171332.tif 000022
【図２１】
2018171332.tif 000023
【図２２】
2018171332.tif 000024
【図２３】
2018171332.tif 000025
【図２４】
2018171332.tif 000026
【図２５】
2018171332.tif 000027
【図２６】
2018171332.tif 000028
【図２７】
2018171332.tif 000029
【図２８】
2018171332.tif 000030
【図２９】
2018171332.tif 000031
【図３０】
2018171332.tif 000032
【図３１】
2018171332.tif 000033